(57)【特許請求の範囲】
【請求項１】
複数のルーズリーフを取り外しできるバインダーであって、
コンジットのあるカバーと、
上記コンジットに組み込まれたスパインと、
上記スパインに接続され、それぞれが上記コンジットに対して回転可能な複数のバインダーリングと、
上記複数のバインダーリングの全てを実質的に同時に開くスイッチエレメントと、を有し、
上記スパインは、上記カバーが回転する際のピボットとして、上記コンジット内に回転可能に配置されていることを特徴とするバインダー。
【請求項２】
上記複数のバインダーリングのそれぞれは、第一リング断片及び第二リング断片を有し、
上記スイッチエレメントは、上記第一リング断片のそれぞれと連結した第一接続エレメント及び上記第二リング断片のそれぞれと連結した第二接続エレメントを有し、上記第一接続エレメントを上記第二接続エレメントに対して移動させて上記バインダーリングの全てを実質的に同時に開くことを特徴とする請求項１のバインダー。
【請求項３】
上記カバーは複数のスロットを規定し、
上記複数のスロットのそれぞれは、上記コンジットに交差し、かつ、上記複数のバインダーリングの一つの少なくとも一部を受けるように構成されていることを特徴とする請求項１のバインダー。
【請求項４】
上記カバーは上記コンジットと交差する少なくとも一つのスロットを規定し、
上記複数のバインダーリングの一つは、少なくとも部分的に上記スロット内に配置され、
上記カバーは上記コンジットと平行のフォールドを有し、前記スロットと交差していることを特徴とする請求項１のバインダー。
【請求項５】
上記カバーは、上記カバーが閉じている際に上記スロットを覆うスロットカバーを有し、
上記スロットカバーは、シーム１とシーム２に沿って上記カバーと連結して、シーム１とシーム２の間に折り目を有し、
上記折り目は、上記カバーが閉じている際に上記フォールドに隣接して配置され、
上記シーム１は、上記カバーが閉じている際に上記シーム２から離れて配置され、
上記折り目は、上記カバーが３６０度開いている際に上記フォールドから離れて配置され、
上記シーム１は、上記カバーが３６０度開いている際に上記シーム２に隣接して配置されていることを特徴とする請求項４のバインダー。
【請求項６】
上記スロットカバーは、上記コンジットに接し、
上記スパインは、上記カバーが回転する際のピボットとしての上記コンジット内に回転可能に配置されていることを特徴とする請求項５のバインダー。
【請求項７】
上記カバーは、フロントカバー、ミドルカバー、及び、バックカバーを有し、
上記ミドルカバーは、上記フロントカバーを上記バックカバーに連結し、
上記バックカバーは、互いにかつ上記コンジットに実質的に平行な第一エッジ及び第二エッジを有し、
上記複数のバインダーリングのそれぞれの一部は、上記第一エッジの回りを回転可能に構成され、
上記バックカバーは、上記コンジットにより狭い側と広い側に分割され、
上記第一エッジは上記狭い側に配置され、上記第二エッジは上記広い側に配置され、
上記ミドルカバーは、上記コンジットの近くかつ上記第二エッジから離れた上記広い側において、上記バックカバーと連結していることを特徴とする請求項１のバインダー。
【請求項８】
上記カバーは、上記カバーが閉じられている際に、上記複数のバインダーリングの第一リングの中心から角度が１度ごと増加するように連続的に広がって上記第一リングの上記周囲と交差した２７０の光線状の線のそれぞれが上記カバーと実質的に交差するように、上記複数のバインダーリングのそれぞれの周囲を包み込むことを特徴とする請求項１のバインダー。
【発明の詳細な説明】
【０００１】
発明の属する技術分野
この発明はルーズリーフ用バインダー及びそれと類似するルーズリーフ手帳、ルーズリーフ用フリップチャート（図表閉じ）、ルーズリーフ用パッド、ルーズリーフ用アルバム等の製品に関連している。
発明の背景
バインダーは一般に「スケルトン」とカバーの２部分から構成されている。ここで言うスケルトンとは、カバーを除く、バインダーのシャーシー、リング（輪）、スパイン（背骨となる部分）及びそれを機能可能にする構造を意味する。ここで言うスパインとは、リングの付いたスケルトンの細長い背骨のような部分だが、縦または横に突き出た、リング、操作レバー、リングベースを包んでいるスプリング、細長い部分の周りを包み回転するカバーを留めるファスナー等の背骨部分とは一緒に回転しない要素を除く。
【０００２】
スケルトンとカバーに関連するルーズリーフ用バインダーの目的は、  バインダーの取るスペース「フットプリント」を最小限にすることである。バインダーのフットプリントとは、それを平らな表面に置いた時にバインダーに覆われるスペースのことである。バインダーのフットプリントを小さくすることによって机、テーブル、膝上のスペースを有効に使用出来ることになる。
その代用としての針金で閉じられたノートは、フロントカバー（表紙）と前のページを、バックカバー（裏表紙）と後ろにあるページの下に折り返すことが出来る。しかし、針金閉じのノートにページを足したり減らしたりは可能でない。
【０００３】
従来のルーズリーフ用バインダーは使用中、フロントカバーとバックカバーが１８０度の角度で開く為、場所を取る。このようにフットプリントが大きいことでバインダーは使用中じゃまになりがちである。仮にフロントカバーとページを後ろに折り返すことが出来たとしても、従来のバインダーの場合まず平らにはならない。そして、この場合かなりの負担がかかり、バインダーによってはルーズリーフが破れたり前後のカバーやページが軸を中心に盛り上がり書く表面が平らにならない。更にこの場合、積み重なったルーズリーフの圧力を手首で抑えながら一番上のルーズリーフに書き込むのは難しい。
【０００４】
これまでにも、従来のルーズリーフ用バインダーの上記のような難点を無くし、使用中のフットプリントを小さくしようという試みがなされてきた。しかしながら、こういった試みにも次のような欠点が見られた。（１）特質の損失（２）その機能性のある部分のみの改善（３）新たな欠点の表れ。
【０００５】
フットプリントの減少を試みたルーズリーフ用バインダーの欠点の原因は主に次のようである。（１）スケルトンのスパインの容積の広がり（２）カバーとスケルトンの接着の仕方（３）カバーの構成ルーズリーフのスケルトンのスパイン容積の拡大
といった失点の第一の原因は、主に簡素な仕組みでスケルトンの全てのリングを一度に開閉させるという目的に基づく。こういったスケルトンをＳｉｍｕｌｔａｎｅｏｕｓｌｙ  Ｏｐｅｎａｂｌｅ／Ｃｌｏｓｅａｂｌｅ  Ｒｉｎｇｓ  Ａｃｔｕａｔｉｏｎ（同時開閉リング操作）の頭文字を取ってここでは（ＳＯＣＲＡ） ソクラとする。
【０００６】
従来のルーズリーフ用バインダーには、大小の寸法を持つスパインンのあるＳＯＣＲＡスケルトンが使われ、その寸法の大きい方は、リングの周囲に組み込まれており小さい方は、実際にはリングの中心へ向かって半径状になっている。バインダーのスケルトンスパインは以前から、寸法的に大の割合が小の２より大きい断面を持つ。
【０００７】
従来のルーズリーフ用バインダーはフロントカバーがバックカバーではなく、ミドルカバー（背表紙）とつながっている。ＳＯＣＲＡスケルトンはミドルカバーもしくはバックカバーにリベットで固定されている。
【０００８】
市場に出回っている従来のルーズリーフ用バインダーカバーの主な寸法は
下記の通り。
0004663127.tif 000002
【０００９】
市場に出回っている従来のルーズリーフ用バインダーのスケルトンの典型的な寸法は下記の通り。
0004663127.tif 000003
【００１０】
リングの外側の寸法は輪の内側の寸法とリングの太さによって異なる。スケルトンのスパインの幅はバインダーのスケルトンのスパインの断面寸法の主を占める。スケルトンのスパインの幅は、それに使用されているＳＯＣＲＡの仕組みとリングの太さによって左右される。リングのサイズが大きくなる程、リングにかかる負担に耐える為、リングの太さも太くなる。従来のスケルトンでは、共通してリング自体がプレートにリベットで固定されている為、リングが太くなるにつれてそれを支えるスケルトンスパインの幅も太くなる。市場に出回っている最も小型の一般的なバインダーは小型ポケットバインダーだが、スケルトンのスパインの幅は、１０ｍｍである。こういったカバー部分の厚みとＳＯＣＲＡスケルトンスパインの幅の為、  一般に従来の技術ではバインダーのカバーにＳＯＣＲＡスケルトンスパインを組み込むことを避けるようになる。
【００１１】
知名なＳＯＣＲＡスケルトン（を横に切断した時）の断面が大きいという構成は、バインダーのフットプリントを縮小する為に、その面の方向、つまり容積の大きい方がリングの中央に放射状に固定されるようになっている。しかし、この方向ではカバーの取り付けがより困難になってしまい、ルーズリーフの前後カバーの間にミドルカバーを使用しないことになる。この様な構成では、リングとルーズリーフの端が露出する為、バインダーが扱い憎く、見栄えも悪くなる。そういったバインダーでは、ルーズリーフが積み重なっていたりフロントカバーを後ろに折り返して書く作業をするときに、スケルトンが盛り上がってしまう。米国特許番号  Ｎｏｓ．3,190,293シュナイダー、4,904,103イム、及び  2,331,461ダウソン等がそういったバインダーの例である。
【００１２】
一方、バインダーのフットプリントを縮小するのに、個別に開閉できるリングを備えたバインダーもある。この様なバインダーの中には、バックカバーが細いスケルトンのスパインの回りを一回転し、フロントカバーがルーズリーフをリングで支えている物があるが、フロントカバーとバックカバーをつなげるミドルカバーがない。こういったデザインでは、ルーズリーフの差し込みや引き抜きをしにくい。また、露出したリングは見た目を落とし、ルーズリーフもあまり保護されていない。その様なバインダーの例は、米国特許番号  Ｎｏｓ．６５９，８６０シルド、２，２６８，４３１スロンネガー に見られる。
【００１３】
さらに、フットプリント縮小バインダー試作のもうひとつの問題点は、こういったバインダーが閉じている位置から３６０度開いた際、バインダーの許容量が変化してしまう、不適当なリングが使われていることである。この許容量の変化は、ルーズリーフの両側でなく一箇所に、スケルトンが組み込まれているのが原因である。この様なバインダーの例は、米国特許番号Ｎｏｓ．4,904,103イムに見られる。
発明の要旨
この発明は以前の技術の弱点に対処し、使用中フットプリントが最小限のバインダーを作る目的を満たす、改善されたバインダーを提供する。バインダーのスケルトン、カバー、及びスケルトンのカバー接着の改善を含む。
【００１４】
フットプリントを縮小する為に行われた様々な発明の具体化には、下記に書かれた要素が特徴として少なくともひとつは含まれる。
【００１５】
１）最小のＬＳＣＰＬを持ったスケルトン（下記に定義）。
【００１６】
２）ＳＯＣＲＡスケルトン。
【００１７】
３）フロントカバーとバックカバーが３６０度に開かれた際に平らに折り込めると同時に、平らに折られたカバーの端をリングが回転自在である、カバーのデザイン。
【００１８】
４）リングが回転するのに対し、バインダーが３６０度開かれた時、スケルトンのスパインは、バックカバーと逆方向に軸回転する。
【００１９】
５）バインダー使用中に、組み込まれたスケルトンのスパインまたは、特別にカバーや構成に埋め込まれたスパイン。
【００２０】
６）前後カバーをつなぐミドルカバー。
【００２１】
７）バインダーが３６０度開いている際、リングの回転を妨げないように設置されたミドルカバー。
【００２２】
８）スケルトンのリングがバックカバーの面を回転する際、リングとカバーの妨げを防ぐ切り込み（スロット）または、  穴（ホール）。
【００２３】
９）ＬＳＣＰＬよりかなり大きいリングの寸法（下記に定義）。
【００２４】
１０）バインダーが３６０度開いた際、フロントカバーがバックカバーの下に平ら付くようにカバーに設置されたスケルトン。
【００２５】
１１）バインダーが閉じている状態では、覆われている（露出していない）リング。
【００２６】
１２）ライティングサポートパッド（下敷き）（下記に表記）。
【００２７】
１３）どの位置にも歪みが出ない平らに折り込めるカバーの端をよりよく回転する、  安定したリング。
【００２８】
１４）リングの形とスケルトンに対する角度、バインダー容量を見えやすく安定させるカバー。
【００２９】
具体化されているスパインはＬＳＣＰＲＬで、Ｌｏｎｇｅｓｔ  Ｓｐｉｎｅ  Ｃｒｏｓｓ−ｓｅｃｔｉｏｎ  Ｐｅｒｉｍｅｔｅｒ  Ｌｉｎｅ（最長スパインクロスセクション周回線）の略であり、  最長線の断片が、スケルトンスパインの上下から見た断面の周囲二箇所に接していることを指す。例えば、スパインの断面が丸いスケルトンは、ＬＳＣＰＬがその丸の直径である。楕円の場合、ＬＳＣＰＬは主軸、四角または長方形の場合は、ＬＳＣＰＬは斜線状、三角形の場合、ＬＳＣＰＬはその最長の辺になる。
【００３０】
ＬＳＣＰＬの寸法は重要である。バインダーのカバーが３６０度開いている時、バインダーのカバーは裏返される。つまり最低でもそれぞれ背中合わせになった前後カバーの内側の面の一部、  スケルトンスパイン、及びカバーの一部がその前後のルーズリーフの間にサンドイッチのように挟まれる。更に、３６０度開いている際、カバーは平らに折り込まれる。カバーが３６０度開かれる際、リングは回転可能でなければならない。具体的には、リングの回転がスパインの回転を誘発することである。仮にＬＳＣＰＬの寸法が、前後カバーの厚さより小さい、あるいは等しい場合、スパインが完全に回転することにより、スパインは、フロントカバーとバックカバーの内側に完全に収まる。この場合、スパインは、前後カバーと水平の状態を保ち、前後のルーズリーフに挟まれて盛り上がるのを最小限に抑えるか、それを防ぎ、ルーズリーフの表面は平らである。更に、ＬＳＣＰＬの寸法は、スパインがカバーの折り返しの中心点となるコンジット、カバーのコンジットのある部分に理想的な厚みを作るのに影響をおよぼす。カバーのその部分はスパインの回りを回転し、スパインを含むコンジットはＬＳＣＰＬの寸法と調和しなければならない。
【００３１】
利用具体化の特徴は、カバーが３６０度に開いている時、折り返されるルーズリーフが全くないあるいは多量にある等、どんな場合でも前後のルーズリーフやバックカバーが平らで平行な状態になること可能にした。
【００３２】
実現的には、ＳＯＣＲＡスケルトンはカバーの内側で回転する、つまり（１）スパインは、カバーがその回りを回転するピボットである。（２）スパインは、カバーとリングの回転に反して、軸的に設置されている。
【００３３】
バインダーのスケルトン使用の具体化は、ＬＳＣＰＬを最小に抑えることになる。例えば、スケルトンの利用のひとつとして、従来のやり方だとスペースを要するリベットでリングを留めたのに対し、それをスペースを取らない接着（ウェルド）または、はんだ付け（ブレーズ）で接着することが出来る。
【００３４】
妙に厚く醜くならないよう、カバーの部分にスケルトンを設置するのは、ＬＳＣＰＬ寸法が約７−９ｍｍのスケルトンから実現出来る。最良なのは、スケルトンのＬＳＣＰＬが５ｍｍに等しいか、それ以下であること。
【００３５】
更に、バインダーに、リングを同時に開閉するシンクロナイズドスイッチ的機能を内蔵したＳＯＣＲＡスケルトンがあること。そのシンクロナイズドスイッチ的機能は、１セット目のリングに関連する第一の接続機能と、連結し対応する２セット目のリングに関連する接続機能を持つこと。シンクロナイズドスイッチ機能には、第一の接続機能が第二の接続機能を起動させ、２セット目のリングが、１セット目のリングに関連して開閉することを可能にする仕組みがある。
【００３６】
前、中、後カバーの接続の仕方も発表する。
目的と利点
この様に、私の発明の目的または利点は、下記に記されたような様々な具体例を含む。
【００３７】
（a）前に引用した過去の誤作に見られるようなルーズルーフの欠点を克服し、  最小のフットプリント、  フロントカバーやルーズリーフが完全に平らにバックカバーの下に折り込めるバインダーを提供すること。
【００３８】
（b）３６０度開け、前後自由自在にカバーやルーズリーフを折り込め、それゆえに、ページの裏にも表にも書き込める両面が同じ様に利用できるリバーシブルのバインダーを提供すること。
【００３９】
（c）フロントカバーがバックカバーに対し１８０度または３６０度開いている際、常に書く表面が平らで、使用しているページ及び全てのルーズリーフが並行で、その表面を端から端まで、上から下まで活用出来るバインダーを提供すること。
【００４０】
（d）机上のみに限らず、膝上、手で持って書く際にも前後カバーがライティングパッドとしての機能も果たせるバインダーを提供すること。
【００４１】
（e）閉じている際リングが外側から見えない、見栄えするバインダーを提供すること。
【００４２】
（f）カバーがルーズリーフを最大限に保護出来るバインダーを提供すること。
【００４３】
（g）使いやすく、ブリーフケースや鞄に便宜良く収まり、本棚等にも積みやすいバインダーを提供すること。
【００４４】
（h）ルーズリーフがバックカバーの下へ折り込まれる際に破れないよう、ページ破損負担を抑えたバインダーを提供すること。
【００４５】
（i）スケルトンのスパインをカバー内に取り付けることによって、閉じていると薄いバインダーを提供すること。
【００４６】
（j）必要に応じて、ルーズリーフの足し増しが容易にできるよう、開閉自在のリングで閉じられたバインダーを提供すること。
【００４７】
（k）ルーズリーフの足し増しがしやすいスケルトンの使用により全てのバインダーリングが同時に開閉出来るバインダーを提供すること。
【００４８】
（l）バインダーが３６０度開いている際も、  同時開閉機能を果たし、なおかつスケルトンによる盛り上がりの無いまたはそれを最小限に抑えた、  ＬＳＣＰＬが可能な限り最小のバインダーを提供すること。
【００４９】
（m）様々なリングの数とリング間隔に対応できるスケルトンを持つバインダーを提供すること。
【００５０】
（n）不用意にリングが開閉しないよう、バネ式または、開閉位置に安定した状態で留められたスケルトンが使用されたバインダーを提供すること。
【００５１】
（o）実際に、スケルトンがその直角の位置から回転可能なような構成のリングが組み込まれたバインダーを提供すること。
【００５２】
（p）安価で製造できるバインダーを提供すること。
【００５３】
私の発明の目的と利点は、図と更なる記述で明確になるであろう。
好ましい実施形態の詳細な説明
図１Ａ−１１Ｌ
今回の発明品であるバインダー１の優先実現は、図１A−１L（バインダー１が、それぞれ０、１２０、１８０、また３６０度に自在に開く展望）、図１E−１F（バインダー１が３６０度開いたのを下から見た図）、図１G−１L（バインダー１のスケルトン５０の図）に示されている通りである。バインダー１は、カバー１００とスケルトン５０、及びオプションとして付け加えられるルーズリーフ、ライティングパッド６１Aと６１Bから成る。
【００５４】
カバー１００は、バックカバー４０及びミドルカバー４２とフロントカバー４４を含む。バックカバー４０は内側表面４０Nと外側表面４０X、フロントカバー４４は内側表面４４Nと外側表面４４Xから成る。バックカバー４０及びミドルカバー４２とフロントカバー４４は、通常カードボード（厚紙）、プラスチック、また他のやや硬い物質から、あるいは柔軟性のあるビニールやレザー皮が使われることもあるが、バインダーカバー、ルーズリーフ用フリップチャート、ルーズリーフ手帳、ルーズリーフライティングパッドカバーといったものは、製造されているどんな材料からも作ることが可能であるだろう。
【００５５】
スケルトン５０は、スパイン５３と複数のリング４６から構成されている。リング４６は、４６Aと４６Bの各部から成る。スパイン５３は、チューブ５４とインナーロッド５２から成る。４６Bのリングの断片は、チューブ５４と、４６Bのリング断片を補う４６Aのリング断片とつながっており、インナーロッド５２と連結している。スパイン５３は、リング断片４６Bに対してリング断片４６Aが同時に開閉できるシンクロナイズドスイッチ機能を持つ。リング断片４６Aとリング断片４６Bは、スパイン５３に対し垂直に取り付けられている。
【００５６】
コンジット５６はバックカバー４０により定められそれに近隣しており、バックカバー４０の４０A端と実質平行に動く。スケルトン５０のスパイン５３は、コンジット５６の内部に組み込まれている。スパイン５３は、バックカバー４０がそれを中心に回転できるピボットである。リング４６はスパイン５３の回転を操作している。スパイン５３はバックカバー４０のピボットであり、リング４６はスパイン５３と共に回転する為、そのスパイン５３はバックカバー４０とリング４６に対し逆回転するように軸的に組み込まれている。スロット５８A−５８Cはバックカバー４０の４０A端に直角に切り込まれている。ペーパーマージンサポート６０A−６０Dは、バックカバー４０によって決められる。コンジット５６とつながっているスロット５８A−５８Cとマージンサポート６０A−６０Dの用途は、バインダー１の機能の説明に明らかである。
【００５７】
リング４６の一つ一つ少なくともその一部は、各スロット５８A−５８Cに通されて連結しており、バックカバー４０の内側でスパイン５３が回転できる仕組みになっている。更に言うならば、スパイン５３のチューブ５４は、比較的断面積が小さく作られているので、コンジットを付ける為にバックカバー４０が不必要に分厚くならずとも、チューブ５４を十分に受け入れられる大きさのコンジット５６を定められる。その上、チューブ５４の横断面寸法は、約４から９ｍｍ、約４から７ｍｍが理想である。
【００５８】
ミドルカバー４２の一辺は、コンジット５６と平行な継ぎになるシーム６６に沿ってバックカバー４０の表面と重なっている。シーム６６は、コンジット５６とバックカバー４０の離れた平行端４０B間にあるが、理想的にはスロット５８A−５８Cに重なることなくコンジット５６の付近にある方が良い。ミドルカバー４２のもう一方の端はフロントカバー４４の端とつながっている。ミドルカバー４２やフロントカバー４４がどこからどこまでなのかを区別する必要はないが、その線は、継ぎ目、折り目、ちょうつがいといった形で表れている。オプショナルパッド６１Aと６１Bは、ルーズリーフ７２が加えられるリング４６間に入れられる。バインダー１にはルーズリーフを重ね置けるスペース７９があり、カバー１００が閉じている状態で、リング４６に閉じられたルーズリーフ７２を収納する。
【００５９】
図１G−１Lは、スケルトン５０とその各部の詳細断面図である。図１Gと１Hは、リング４６が開閉した状態のスケルトン５０である。図１Jでは、リング４６の複数の断片が溶接（ウェルド）、はんだづけ（ブレーズ）、または他の適切な方法でロッド５２に接着されている。同様に、図１Iに示されているようにチューブ５４に、それに対応した数のリング４６の断片が付着されている。ロッド５２がチューブ５４内部に組み込まれる際、ある間隔で設計されたリング４６A、同様に間隔を置かれたスロット５５は、そのチューブによって定めるられることになる。更に、スロット５５の幅は、リング４６Aの直径をほぼ決める、またはある種の構造を利用することになる。例えば、ロッド５２にチューブ５４の内表面にシリンディカルグルーブカット（円柱形切込み）とそれに合わせたシリンディカルフランジ（円形つば）を取り付ける等、チューブ５４に関連してロッド５２が縦方向に動くような工夫が必要である。スロット５５には十分の長さがあるので、チューブ５４が、リング部４６Bの邪魔にならず限られた角度内でロッド５２の回りを回転できる。チューブ５４は、リング４６Bに対し、リング４６Aを開閉するようにロッド５２の回りを回転できる。この実用例で、スケルトン５０、ロッド５２、及びチューブ５４は、シンクロナイズドスイッチ構造５１の第一、第二関連要素となる。
【００６０】
図１Kと１Lは、スパイン５３が開閉した状態でのシンクロナイズドスイッチ構造５１の詳細図である。更に、シンクロナイズドスイッチ構造５１はロッド５２のタブ（つまみの様な部分）９９Aを構成し、シリンダー２９がロッド５２と共に回転するのを妨げるスロット２９Bとスライディングトランスミッションリンケッジ（スライド式伝達リンク）を形成している。しかし、それはシリンダー２９がロッド５２の方向または遠ざかる形で縦にスライドするのを可能にする。シリンディカルフランジ７７は、ロッド５２と偶然的にもチューブ５４の両方の縦中央軸を保ち、そのチューブは、タブ９９がスロット２９Bとリングセグメント４６A内に収まるようにしており、リングセグメント４６Bと連結している。シリンダー２９の小さい方の直径２９Dは、スプリング３１の中央とストップ３２へ向かって伸びている。シリンダー２９の大きい方の直径２９Cは、スプリング３１と常に逆方向に接しており、チューブ５４の内部表面は、２９Cの動きの一部、回転及び縦方向の動きをコントロールしている。セミアニュアラー（半環状の）デュアルスロッテドレッジ２８は、チューブ５４の内側の直径輪の内部にあり、チューブ５４に限定される、あるいはチューブ５４の一部として作られるのが好ましい。セミアニュアラーレッジ２８はトゥース２８C（歯）で区切られた、オープンノッチ２８Aと２８B（V字型開口切り込み）を限定する。シリンダー２９のタング２９A（舌）は、トゥース２８Cの上を、ふたつのノッチ２８Aと２８Bの方向へ、またはその方向からスライドする際に、スプリング３１によりレッジ２８と常に接触している。このノッチはバインダー１の使用に際してレッジ２８に限定された物である。
【００６１】
バインダー１には、４つの基本的な機能がある。（i）バインダー１の中身を見たり使用したりする為に、バックカバー４０に対しフロントカバーと開け閉めする機能。（ii）ルーズリーフ紙に書き込む。（iii）紙やポケットホールダー等のルーズリーフアイテムを入れたり外したりする為に、リング４６を開け閉めする機能。（iv）持ち運んだり、本棚に立てかけたり、ブリーフケースや鞄に詰めたり、水平に積み上げたりする為に、バインダーを使用、保管。バインダー１は、フロントカバー４４とバックカバー４０を開くことによって、その閉じている状態から本のように開けることが出来る。（図１B） 前後カバーに対しミドルカバー４２が回ることによって、そうする事ができる。図１D−１Fに示されたように、フロントカバー４４と前にあるルーズリーフ７２Aは、バインダー１のバックカバー４０と後ろにあるルーズリーフ７２Bの下に平らに入れ、使用中のフットプリントを最小限にできる。フロンとカバー４４と前にあるルーズリーフ７２Aがバックカバー４０に対し１８０度以上開けられた際、スケルトン５０はこの動きによって生じた伸び広がりに合わせて回転することが可能である。従って、負担によってリング４６からルーズリーフ７２Aが引きちぎれるのを防げるのである。スケルトン５０の回転は、バインダー１が３６０度に開かれている際、前にあるルーズリーフ７２Aがフロントカバー４４に対し平らに置け、書くために水平な表面を作るのに貢献している。（図１E及び１F）。
【００６２】
オープンスロット５８A−５８Cは、バックカバー４０により決まり、カバーは、リング４６を（i）バックカバー４０が閉じている時、まっすぐに保つ（ii）スケルトン５０と共に回転させる。バインダーが１８０度開いている際、スケルトン５０はいくつかの角度で、バックカバー４０のスロット５８A−５８Cの為その位置に対し普通５−２０度で回転できるが、ミドルカバー４２が平らな表面に置かれている時は、それがスロット５８A−５８Cを押すようになり、回転を止める。ミドルカバー４２は、バックカバー４０とコンジット５６とバックカバー４０の遠いほうの端４０Bにつながっている関係で、フロントカバー４４がバックカバー４０に対し３６０度開かれている時、ミドルカバー４２はスロット５８A−５８Cから引っ張られ、そのスロットを通っているリング４６の回転を最大限にさせることができる。カバー１００が３６０度に平らに広げられている際、各リング４６の一部は、下記に部分的に説明するように、リングに近い４０A端を回転する。まっすぐな位置からのスケルトン５０の回転角度は、バックカバー４０とルーズリーフ７２Bの下に折り込まれた、前のルーズリーフ７２Aの量によって限定される。例えば、折り込まれたルーズリーフ７２が多ければ多いほど、まっすぐな位置からのスケルトン５０の回転角度は大きくなる。垂直な位置からのスケルトン５０の回転角度を定める他の要因は、リング４６の直径、バックカバー４０の厚さ、バインダーがフロントカバー４４の上にバックカバー４０を乗せた（図１E）、または、その逆に表面に置かれているかである（図１F）。
【００６３】
各リング４６の一部が平らに折られたカバー１００のリング付近の４０A端を回転するには、ふたつの理由がある。（１）リング４６をつなぐ一方で、バックカバー４０の片側から他の側にルーズリーフ７２を移すに際し、４０A端を空にする。（２）各リング４６の最も大切な部分がバックカバー４０の内面にくるようにできる。一方、各リング４６の２番目に不可欠な部分は、現在バックカバー４０の外面に位置しており、バックカバー４０の上または下でルーズリーフ７２が平らに積み重なり、リング４６に連結出来ることが必要である。第（２）の目的実現には、各リング４６の内部直径が平らな状態であるカバー１００の厚みより大きいこと。この厚みは、カバー１００が３６０度開いた平らな状態である際、フロントカバー４４とバックカバー４０が一緒に置かれた時のトータルの厚みと等しい。
【００６４】
フロントカバー４４は、バインダー１のフットプリントを更に縮めるために、それ自体とは反対へ折るまたは、バックカバー４０の方へ折り込むのにも、十分に柔軟性があり、折りたためる（図１３A参照）。
【００６５】
図１Cは、バインダー１が１８０度で開いている時、利用者は前や後ろのどのルーズリーフ７２にも書き込めることを示している。この様に、フロントカバー４４と前にあるルーズリーフ７２Aが、バックカバー４０と後ろにあるルーズリーフ７２Bの方へ折り返されている時、図１Eと１Fに描かれている位置にバインダーを置くことにより、利用者は前側表面に出ているルーズリーフ７２Bか、後側に出ているルーズリーフ７２Aに書き込めることを示している。この様にして、今回の発明品バインダー１は、その最小のフットプリントで、利用者は前や後ろのどのルーズリーフ７２にも書き込めることを示している。
【００６６】
スケルトン５０がその垂直の位置から回転する時は常に、マージンサポート６０A−６０Dは、左の端から右の端、上から下までルーズリーフ７２のほぼ全表面に書き込めるよう、サポートする。この書く為の支えを補助するパッド６１A−６１Bは、半硬質であるゆえマージンサポート６０A−６０Dの補助サポートにより平らで、サポート力のあるライティングサーフィス(書く表面)を提供できるという利益がある。マージンサポート６０A−６０Dとルーズリーフライティングサポートパッド６１A−６１Bの両方に支えられることにより、書いている最中にルーズリーフ７２が破れるのを防ぐ。
【００６７】
バックカバー４０内にあるが、ルーズリーフスタックスペース７９外で回転するスケルトン５０のスパイン５３は、フロントカバー４４と前にあるルーズリーフ７２Aがバックカバー４０に対し１８０度、もしくはバックカバー４０の下側と残りのルーズリーフ７２Bに対し３６０度に回転した時、水平なライティングサーフィスを提供する。スパイン５３はバックカバー４０と共に回転できなければならず、更に表面に凹凸が出ないようプラナーの役割を果たさなければならない。
【００６８】
図１Aのスケルトン５０は全てのリング４６が同時に安定した形で開く(図１H及び１L)または、閉じる（図１G及び１K）ようにシンクロナイズドスイッチ機能５１を内蔵している。しかしながら、図１Kと１Lはシンクロナイズドスイッチ機能５１のいくつかの部分がスケルトン５０の一端につながリ、更にそれを鏡に映したような部分は、スケルトン５０のもう一方の端に連結し、タブ９９Bによって総合的に形成されバランスの取れた操作が行われることを示している。スケルトン５０を開くには、リング４６Aの何にも接していない部分とルーズリーフシートの受け外しをする４６Bとを離脱すること意味する（図１H及び１L）。スケルトン５０を閉じるには、リング４６Aと４６B各片を接合させ、リング４６が完全に閉じ、ルーズリーフシートがバインダー内に確実に収まるようにすること意味する（図１G及び１K）。
【００６９】
スケルトン５０を開くということは、ユーザー（利用者）が、相反するリングの片４６Aと４６Bを手で引き離すことである。この行為は、シンクロナイズドスイッチ機能５１に、全てのリング４６を一度に開けさせることになる。操作中、シンクロナイズドスイッチ機能５１のロッド５２は、相反するリングの片４６Aと４６Bが引き離される際、チューブ５４に関連して回転し、スプリング３１はそれを妨げようとする。ロッド５４がチューブ５２に関連して回転する際、タブ９９Aとスロット２９Bは、シリンダー２９をそれと共に回転させるが、らせん状の部分またはレッジ２８のトゥース２８Cは、シリンダー２９とストップ３２の間のスプリング３１を圧縮し、シリンダーをロッド５２の方向に縦に押し上げる。ロッド５２が閉じた位置と開いた位置の間で半回転する際、シリンダー２９のタング２９Aはノッチ２８Aに押され、トゥース２８Cへとスライドする。つまりスプリング３１が伸張し、タング２９Aをノッチ２８Bの中へ押しやることによりロッド５２の回転を止める。図１Lに見られるように、タング２９Aがノッチ２８Bに配置される時、リング４６は開く位置にあり、スプリング３１がタング２９Aをノッチ２８Bに押しやることでその位置に保たれる。
【００７０】
スケルトン５０を閉じるには、ユーザー（利用者）が、相反するリングの片４６Aと４６Bを手で引き離すことにより、再びシンクロナイズドスイッチ機能５１に、全てのリング４６を一度に閉じさせることになる。ふたつの相反するリングの片４６Aと４６Bを押す行為は、シンクロナイズドスイッチ機能５１のロッド５２を、スプリング３１の抵抗に反して、チューブ５４に関連して回転させる。ロッド５４がチューブ５２に関連して回転する際、タブ９９Aとスロット２９Bは、シリンダー２９をそれと共に回転させるが、アニュラーレッジ２８のトゥース２８Cは、シリンダー２９とストップ３２の間のスプリング３１を圧縮し、シリンダーをロッド５２の方向に縦に押し上げる。ロッド５２が開いた位置と閉じた位置の間で半回転する際、シリンダー２９のタング２９Aはノッチ２８Bに押され、トゥース２８Cへとスライドする。つまりスプリング３１が伸張し、タング２９Aをノッチ２８Aの中へ押しやることによりロッド５２の回転を止める。図１Kに見られるように、タング２９Aがノッチ２８Aに配置される時、リング４６は閉じる位置にあり、スプリング３１がタング２９Aをノッチ２８Aに押しやることでその位置に保たれる。
【００７１】
バインダーカバー１００は閉じている時、ルーズリーフ７２とリング４６を含むスケルトン５０をほぼ完全に包み込んでおり、本のようである。各２７０の光線状の線８９がひとつのリング４６の中心から１度の角度で連なり出ており、そのリング４６の週輪と交差し、カバー１００が閉じている時、事実上そのカバーと交わる。結果的に、リングが露出している、あまりカバーされていないバインダーに比べ、バインダー１は、より棚に立てかけやすく、持ち運びに便利で、本棚、ブリーフケース、バックパック等に収納しやすく、見栄えもよく、ルーズリーフ７２をより保護している。
図２A-2E
図２A−2Eは、発明品の他の実用例バインダー２の展望と断面図である。バインダー２は、カバー２００とスケルトン５０からなる。カバー２００は、フロントカバー１４４及びミドルカバー１４２とバックカバー４０を含む。バインダー２のバックカバー４０と, スケルトン５０は、図１A-1Lで示されたバインダー１と同じものである。それ以外に、バインダー２には、ミドルカバー１４２とフロントカバー１４４が含まれている。ホール７４Aは、フロントカバー１４４によって定められる。ホール７４Aにはリング４６がはめ込まれ、リング４６はフロントカバー１４４及びルーズリーフ７２を取り外しできるように束ねる。フロントカバー１４４は、シーム１６６を通じてミドルカバー１４２に連結している。シーム１６６は、ホール７４Aとフロントカバー１４４の平行な端１４４Aの間に、設置されている。シーム１６６の理想的な位置は、フロントカバーの端１４４Aよりも、ホール７４Aに近いほうがよい。ミドルカバー１４２は、折目８０と折目８２から構成され、図１A−１C示されているバインダー１と同じように、バックカバー４０に連結している。
【００７２】
フロントカバー１４４が、リング４６で閉じられたルーズリーフの上に乗っているため、フロントカバー１４４はリング４６にそって動く。バインダー２が１８０度平らに開かれ、平らに置かれたとき、あるいは３６０度に開かれたとき、フロントカバー１４４は,リング４６にそって動き、次にフロントカバー１４４は、 ミドルカバー１４２を折り込ませる。折りたたみをスムーズにし、盛り上がりを最小限に抑えるためには、折目８０と折目８２は, ミドルカバー１４２に付けられたほうがよい。バインダー２が１８０度開かれる際、ミドルカバー１４２は折り目８０で折りたたまる傾向を示す。バインダー２が３６０度開かれる際には、ミドルカバー１４２は折り目８２で折りたたまる傾向を示す。図解の都合により、図２A−2Eではミドルカバー１４２の厚みは目立つように描かれている。実際には、折りたたみをスムーズにし、盛り上がりを最小限に抑えるため、ミドルカバー１４２の厚みは紙ほどの厚さでよい。図２Eにはバインダー２のカバー２００が、前のルーズリーフ７２Aと残りのルーズリーフ７２Bの間で３６０度平らに開く際生ずる最小のフットプリントが示されている。バインダー１の記述ですでに述べた第（２）の目的実現には、リング４６の内部直径が、実質平らな状態であるカバー２００の厚みより大きいこと。この厚みは、バックカバー４０の厚みと、フロントカバー１４４の厚みと、ミドルカバー１４２の二倍の厚みに等しい。
【００７３】
バインダー２の利点は、バインダー内のスペースの節約による、よりコンパクトな貯蔵能力にある。バインダー２が閉じてある際（図２Aと２B）、フロントカバー１４４は、ルーズリーフ７２の上に平らに重なるため、トップのルーズリーフとフロントカバー１４４の間にエアポッケトは生じない。この利点は、書類かばん等の中の限られた空間を配慮に入れると、重要である。実用例バインダー２は、１８０度もしくは３６０度開かれた状態でのフットプリントを縮小し、リング４６を包み込むカバーの利点を引き出す。
図３A-３E
図３A−３Eは、発明品の他の実用例バインダー３の展望と断面図である。バインダー３は、カバー３００とスケルトン５０からなる。カバー３００はフロントカバー２４４及びミドルカバー２４２とバックカバー４０を含む。バインダー３のバックカバー４０とスケルトン５０は、図１A-1Lに示されたバインダー１と同じものである。それ以外にバインダー３には、ミドルカバー２４２とフロントカバー２４４が含まれている。フロントカバー２４４には、リング４６を受け入れるための輪84が付けてあり、実用例バインダー３のフロントカバー２４４はミドルカバー２４２に連結している。この連結は、図１A−１Cのバインダー１のフロントカバー４４と、ミドルカバー４２の間のものと同じである。さらに、図１A−１Cに示されているバインダー１のミドルカバー４２とバックカバー４０のように、バインダー３では、ミドルカバー２４２がバックカバー４０に連結している。折目１８０A、１８０B、と１８２は、ミドルカバー２４２に付けられた方がよい。
【００７４】
実用例バインダー３のフロントカバー２４４は、リング４６で閉じられたルーズリーフの上に乗っているため、フロントカバー２４４はリング４６にそって動く。バインダー３が１８０度に平らに置かれたとき、もしくは３６０度に開かれるとき、リング４６はフロントカバー２４４を動かし、次にフロントカバー２４４は、図３D-3Fが示すように、ミドルカバー２４２を折り込ませる。バインダー３は、フロントカバー244がリングの上に重なるため、一般のリングバインダーにも見られる三角形で、親しみやすい、ほっそりした外見と印象を与え、上記の実用例バインダー１と同様、包み込みカバーの利点を引き出す。
図4A-4D
図４A−４Dは発明品の他の実用例バインダー４の展望と下から見た図である。バインダー４は、スケルトン５０とカバー４００からなる。スケルトン５０は、図１A-1Lで示されたのバインダー１と同じものである。カバー４００は、バックカバー１４０及びミドルカバー３４２と、フロントカバー３４４を含む。ミドルカバ−342は、ミルカバーの大きな部分342Bによって区切られた、ふたつの小さな部分A342から成り立つ。これらはすべて、スケルトン５０のスパイン53をビームとして回転することができる。ミドルカバーの一部342Bは、スケルトン５０のスパイン53をささえるためのコンジット５６Bを含む。ミドルカバーの一部342Bは、図１A−１Cのバインダー１のバックカバー４０と同じく、スパイン53をビームとして回転することができる。スロット１５８A−１５８Cとマージンサポートは、ミドルカバー一部342Bによって定まる。
【００７５】
バインダー4が360度に開かれる際（図4C−4D）、スケルトン５０は、ミドルカバーの一部342Bの内部で回転し、余分に回転できるようになっている。この仕組は、スケルトン５０がバインダー１のバックカバー４０の内部で回転できる仕組みと同じである。１８０度もしくは３６０度開かれた状態では、ミドルカバー部分342Bとバックカバー４０は余分の動きをする。ネック及び折目１４０Aの周辺でミドルカバーの一部342Bと、バックカバー１４０が連結もしくは完全に形成されているのを除けば、二つの部品は同じ厚みを持っている。ルーズリーフ72を支えるこの二つの部品が、どちらかと言うと平面な外面を提供する。ライティングパッド６１Aと61Bを、バインダー４に入れることにより（図１E,1F）執筆中ルーズリーフが破けないよう、負担を抑えることが出来るだろう。
【００７６】
ミドルカバーの一部342Aは、折目３４４Ａが配置されているフロントカバー３４４の端３４４Aに連結し、一体となり形を作っている。ミドルカバーの一部342Aは、スケルトン５０の各端を中心に回転するが、スケルトン５０の回転の邪魔にはならない。バインダー4が360度に開かれる際、ミドルカバーの一部342Aは、ミドルカバーの一部342Bの周りをカーブし、図４Dで示されるように、フロントカバー３４４はバックカバー１４０に対して平らになることができる。
図５A-５B
図５A−５Bは発明品の他の実用例バインダー５の展望と下から見た図である。バインダー５は、カバー５００とバインダー１と同じスケルトン５０からなる。カバー５００は、バックカバー１４４０及びミドルカバー４４２とフロントカバー１０４４とを含む。バインダー５のミドルカバー４４２は、ベース４４２Aとベース442Aの上に配置されているビーム86及びベース４４２の、各結合に配置された折目４４２Bと４４２Cからなる。スパイン５３はコンジット５６Aの中で回転できるように配置されている。スロット２５８A−258Cはミドルカバー４４２によって定められる。マージンサポート２６０A-260Dを支える端は、ミドルカバー４４２のビーム８６によって定まる。ミドルカバー４４２のベース442Aとフロントカバー１０４４は、折目あるいはフォールド１４４０Aにおいて連結している。ベース４４２とバックカバー１４４０は折目あるいはフォールド１４４０Ａにおいて連結している。
【００７７】
スケルトン５０はミドルカバー４４２に対して回転できるが、限られた回転のみですむ。回転量は、ミドルカバー４４２のビーム8６の片面と他面にルーズリーフ72がどの位あるかによって、影響される。ベース442は折目４４２Bと４４２Cで折りたたまれ、これにより、フロントカバー１０４４は、バックカバー１４４０に対して平らになることが出来るため、バインダー５が360度に開かれる際（図５B）、スケルトン５０は実質的には回転する必要がない。バインダー５が360度に開かれる際、ミドルカバー４４２及びバックカバー１４４０とフロントカバー１０４４がパラレルな平面を形づけるために、これらの厚みは、ベース86の半分の厚みである。オプションとして付けられているライティングサポートパッド６１Aと６１Bは、折りたたみ442Bと４４２Cやスロット２５８A−２５８Cに付いている裂け目をカバーする。カバー500を360度に平らにたたむと、ビーム86は平らに折り重ねられたカバー500のリングに近い端と一致し、各リング46の部分はこの端の周りで回転可能である。
図６A-６B
図６A−６Bは発明品の他の実用例であるバインダー6の展望である。バインダー６は、カバー６００とスケルトン５０からなる。図６Bはバックカバー２４０の展望を示す。カバー６００はバックカバー２４０及びミドルカバー４４４を含む。実用例バインダー６は、包み込みミドルカバー42を持たないことを除けば、図２A−２Eに示されたバインダー２に類似している。スパイン５３は、バックカバ−２４０によって決められたコンジット５６の中で回転可能に配置されているが、スパイン５３がバックカバ−２４０のビームであるのと同じように、バックカバ−２４０によって限定される。図２A−2Eに示されたバインダー2のフロントカバー１４４のように、実用例バインダー６のフロントカバー４４４はリング46を受けるためのホール74Aを定める。これにより、フロントカバー４４４はリング46によって束ねられることになる。バインダー６には、ミドルカバーがないので、ミドルカバーを持つバインダーに比べてより経済的に製作できるし、開閉も簡単である。
図７A-７B
図７A-７Bは発明品の他の実用例であるバインダー７の展望と下から見た図である。バインダー７は、カバー７００とスケルトン５０からなる。カバー７００はバックカバー３４０及びミドルカバー５４２とフロントカバー44を含む。バインダー７は、ミドルカバー５４２を持つバインダー1のバリエーションである。ミドルカバー５４２は引き伸ばされ、バックカバー340の外端３４０Bに接着するか、その端３４０Bと一体になって形づけられる。ミドルカバー４４２は、ミドルカバーの一部342Bを持つ二重平面のミドルカバーである。バインダー7は、図１A-1Fで示したバインダー1と同じく180度に開くが、360度の位置では異なった開き方をする。図７Bはバインダー7のカバーが３６０度開いたとき「Ｚ」の形に折り返り、前のルーズリーフ72は、バックカバー340とミドルカバーの一部542の間に挟まる。カバー700が360度に開いたときバックカバー340のみが、前のルーズリーフ72Bと残りのルーズリーフ７２Bの間で平らな形になる。リング46の内部直径はバインダー１の記述ですでに述べた第（２）の目的実現のために、バックカバー340の平らな状態の厚みより大きい。
図８
図８は発明品の他の実用例であるバインダー８の展望である。バインダー８は、カバー８００とスケルトン５０からなる。カバー８００はカバー４４０及びミドルカバー６４２と、フロントカバー５４４と、チャック８８を含む。実用例バインダー８は、図７（ａ）‐７（ｂ）に示したバインダー７に類似している。
なぜなら、バックカバー340がバインダー7のミドルカバーの一部542Bに連結しているのと同じように、バックカバー440も、バインダー8のミドルカバーの一部642Bに連結しているからである。またバインダー8は安全チャックを含み、それは、バックカバー440及びスケルトン５０とルーズリーフ７２を包み、これによって、取り扱い及び貯蔵量が改善される。ミドルカバー642は部分642Aと６４２Bを含む。さらに、バックカバー４４０は、輪９１とホック９０を通してバックカバーの一部６４２Bに接着している。ホック９０は、バックカバーの内表面４４０Nの上に設置され、輪９１はミドルカバー６４２Bに接着するフラット７８の上に設置される。
【００７８】
チャック８８には、使用中障害物が入り込む可能性があるから、バックカバー４４０は、バインダーの他のカバーの部分に接着していない。スケルトン５０のスパイン５３はバックカバー４４０のコンジット５６に設置されている。バックカバー４４０がミドルカバーの一部６４２Bに接着していない場合、バインダー８は、バインダー６と同じように、前のルーズリーフ７２Aをバックカバー４４０に対して後ろに折り返すことが出来、同時に最小のフットプリントしか生じさせない。チャック８８の具合が悪くなければ、バックカバー４４０は、ミドルカバーの一部６４２Bの間にはさまれて、バックカバー４４０を下に折り返せる。
図９
図９は発明品の他の実用例であるバインダー９を下から見た図である。バインダー９は、カバー９００とスケルトン５０からなる。カバー９００はカバー５４０とミドルカバー７４２Aと７４２B及びフロントカバー６４４を含む。バインダー９は、図１（ａ）‐図１（ｆ）に示されたバインダー１に似ているが、それ以外に輪１９０及びホック１９２Aと１９２B、さらに、特別のミドルカバー７４２Bから成る二重目的の留め具を含む。ミドルカバー７４２Aとミドルカバー７４２Bはそれぞれバインダーの反対側に設置されている一方、折目やちょうつがい７４２Dはフロントカバー６４４とミドルカバー７４２Bの間に設置されている。ホック１９０の若干の列は、バックカバー５４０の上に置かれ、ミドルカバー７４２Bとフロントカバー６４４のそれぞれの上にある輪１９２Aと１９２Bの列と一緒になっている。この二重目的の留め具は、ホック１９０から構成されていて、輪１９２Aもしくは１９２Bに接着することが出来る。
【００７９】
バインダー９が閉じられている際、ホック１９０は、フロントカバー６４４がバックカバー５４０に対して安全に場所を持つように、輪１９２Bに結びつく。ミドルカバー７４２Bの付加によってバインダー９は、リング４６とルーズリーフ７２を四方から囲み、これによって取り扱い及び貯蔵量が改良される。バインダー９が３６０度平らに開かれるとき、フロントカバー６４４、ミドルカバー７４２A、ミドルカバー７４２Bは、バックカバー５４０の広い部分の下に置かれ、さらにコンジット５６で分けられる。これによってリング４６の回転は妨害されず、バインダー９のフットプリントは縮小される。図１A−１Fのバインダー１の記述ですでに述べた第（２）の目的実現のために、リング４６の内部直径は実際にはカバー９００が平らな時の厚みより大きく、バックカバー５４０の厚みに、フロントカバー６４４の厚みの二倍を加えた合計に等しい。
図１０
図１０は発明品の他の実用例であるバインダー１０を下から見た図である。バインダー１０は、カバー１０００とスケルトン５０からなる。カバー１０００はカバー６４０とミドルカバー８４２Aと８４２B及びフロントカバー７４４を含む。バインダー１０は、図９に示されたバインダー９に似ているが、その他に、ホック２９０と、輪２９２Aと２９２B及び特別のミドルカバーの断片８４２Bから成る二重目的の留め具を含む。折目やちょうつがい８４２Cは、フロントカバー７４４とミドルカバー８４２Bの間に設置されている。図９のバンインダー９のミドルカバー７４２A、ミドルカバー７４２Bとフロントカバー６４４が、バックカバー５４０の下部に向かって時計回りで回転するのに反して、バンインダー１０のミドルカバー８４２A、ミドルカバー８４２Bとフロントカバー７４４は、バックカバー５４０の下部に向かって時計とは逆に回転する。このように、バインダー９と１０の各フロントカバー６４４と７４４は、逆の方向に開く。さらにバインダー１０はバインダー９と同様に、閉じた際、リング４６とルーズリーフ  を四方から囲み、ホックと輪付二重目的の留め具を使用している。
【００８０】
バインダー１０の留め具は、バックカバー６４０の上に配置されたホック２９０の列からなり、ミドルカバー８４２Bとフロントカバー７４４のそれぞれに配置された輪の列２９２A、もしくは２９２Bのどちらかの位置に接着できる。バインダー１０が閉じているときには、ホック２９０の列は輪２９２Aの列に結びつく。バインダー１０が図１０の破線で示すように３６０度に開くときには、フロントカバー７４４は折目１８１で折り重なり、ホック２９０の列は輪２９２Bの列に結びつく。これによってフロントカバー７４４はバックカバー６４０を安全に保持する。
図１１
図１１は発明品の他の実用例であるバインダー１１を下から見た図である。バインダー１１は、カバー１１００とスケルトン５０からなる。カバー１１００はバックカバー７４０とミドルカバー９４２Aと９４２B及びフロントカバー８４４を含む。フロントカバー８４４は、取り外しできるように連結する部分８４４Aと８４４Bを持つ。バインダー１１は図９に示されたバインダー９と図１０のバインダー１０に非常に似ている。バインダー１１はフロントカバーの一部８４４Aとミドルカバー９４２Aとで作成された、フロントミドルカバーの一部からなる。ミドルカバー９４２Aは、コンジット５６の近くで、バックカバー７４０に常に接着している。したがって、バインダー１１はフロントカバーの一部８４４Bとミドルカバー９４２Bからなり、さらに、バックカバー７４０に接着しているフロント、ミドルカバーの断片を含む。折目やちょうつがい９４２Cは、ミドルカバー９４２Aとバインダー１１が閉じたときには、ミドルカバー９４２Bの間に設置されている。一方、折目やちょうつがい９４２Dはフロントカバーの一部８４４Bとミドルカバー９４２B間に設置されている（下書をみること）。この二つのフロント、ミドルカバーの断片は、バインダー１１が閉じたときにはバックカバーの上部のほうで一緒に結びつき、バインダー１１が開いたときにはバックカバーの下部で結びつく。バインダー１１の二重目的ホックと輪の留め具は、ホック３９０の列からなり、輪３９２Aと３９２Bの列のどちらかを選んで接着できる。
【００８１】
バインダー１１が閉じた時、ホック３９０は輪３９２Aと結びつく。図１１の破線で示されているようにバインダー１１が３６０度に開いているときは、フロントカバーの一部８４４Bはミドルカバー９４２Aと９４２Bの上に折重なり、ホック３９０は輪３９２Bに接続する。それによって、フロントカバーの一部８４４Aとフロントカバーの一部８４４Bはバックカバー７４０を安全に保持する。図９のバインダー９と図１０のバインダー１０と同じく、バインダー１１も３６０度に開閉したときリング４６とルーズリーフ７２を四方から囲む。ミドルカバー９４２Aと９４２Bにフロントカバーの一部９４２Aと９４２Bは、コンジット５６をはさんでバックカバーの広い一部の下に設置されている。これにより、リング４６の回転の妨害は避けられる。
図１２
図１２は発明品の他の実用例であるバインダー１２を示す。バインダー１２は、カバー１２００とスケルトン５０からなる。カバー１２００はバックカバー８４０とミドルカバー１０４２とフロントカバー４４を含む。バインダー１２はこれまでに紹介したほとんどのバインダーと異なる。これは、前のルーズリーフ７２Aが、バックカバー８４０と残りのルーズリーフ７２Bの下に折りたたまれる際、一部１０４２Aと一部１０４２Bを含むミドルカバー１０４２が、スケルトン５０の回転を妨害するのを避けるための方法が違うからである。ミドルカバーの一部１０４２Bは、ちょうつがい、もしくはフォールド８４０Aを通じてバックカバー８４０に連結している。図１２に示されたように、ミドルカバーの一部１０４２Aは、ミドルカバーの一部１０４２Bとフロントカバー４４の間に配置されている。
【００８２】
ルーズリーフ７２がバックカバー８４０の下に折たたまるとき、バックカバー８４０は、フォールド８４０Aを中心に回転する。フォールド８４０Aは、バックカバー８４０の下に折りたたまるルーズリーフ７２をより多く受けいれらるように、しなやかなものの方がよい。ルーズリーフ７２は３６０度バックカバーの周りに折りたたまれ、リング４６を回転させる。続いて、バックカバー８４０は本来の、前のルーズリーフ７２Aがバックカバー８４０とミドルカバーの一部１０４２Bの間に挟まった位置に対して、後ろに回転する。ルーズリーフの裏面に執筆できるように、バックカバー８４０はミドルカバーの一部１０４２Bの表側から、裏側に折りたたむことが出来る。これにより、ルーズリーフの裏面が露出するようになる。バインダーのフットポイントを最小限にするためフロントカバー４４は、ミドルカバーの一部１０４２Bの一方に対して折り曲げることが出来、さらにバックカバー８４０もミドルカバーの一部１０４２Bに対して、もう片方に折り曲げることが出来る。フロントカバー４４は、ミドルカバーの一部１０４２Bとバックカバー８４０の間に挟むことも出来る。
図１３A−１３B
図１３Aと１３Bは発明品の他の実用例であるバインダー１３を下から見た図である。バインダー１３は、カバー１３００とスケルトン５０からなる。カバー１３００はフロントカバー４４及びミドルカバー４２とバックカバー９４０を含む。図１のバインダー１のようにバインダー１３のミドルカバー４２は、シーム６６の位置でバックカバー９４０に取り付けられている。バックカバー９４０は、リング４６が取り付けられるようにホール７４Bと、ホール７４Bを横断する開閉型      コンジット１５６を含む。スケルトン５０のスパイン53は、バックカバー９４０の内側に設置されていない。ただし、図13Bに示されているようにバインダー13が360度に開かれる際には、バックカバー940によって定められた開閉型コンジット156は、スパイン53より生ずる盛り上がりを最小限に抑えるため、もしくは完全に排除するため、スパイン53のチューブ54を受け入れる。これにより、バックカバー940は平らに折れる。バックカバー９４０はホール７４Bを通してリング４６にルーズリーフのようにかけられるため、スパイン53とリング４６は、バックカバー９４０に対して取り外しできるように回転できる。この仕組は、バインダー13が360度に開かれる際、必要である。フロントカバー４４は、バインダーが360度に開かれた状態のフットプリントを縮小するように、また十分に曲げられるように、曲げやすいものが好ましい。バインダー１３が閉じられている際、スケルトン５０は、バックカバー９４０及びミドルカバー４２とフロントカバー４４に包囲され、リング４６を露出させない。これによりバインダー13はより扱いやすく、美しくなる。
図１４A−１４C
図１４Aと１４Cは発明品の他の実用例であるバインダー１３の展望と下から見た図である。バインダー１４は、カバー１４００とスケルトン５０からなる。カバー１４００は、フロントカバー９４４及びミドルカバー１４２とバックカバー９４０を含む。図２A-2Eのバインダー２のように、バインダー１４のミドルカバー１４２は、シーム６６と１６６の位置でバックカバー９４０とフロントカバー９４４に取り付けられている。フロントカバー９４４には、リング４６から取り外しが自在に出来るように、ホール７４Aと、ホール７４Aを横断する開閉型コンジット１５６が接着されている。バックカバー９４０には、リング４６から取り外しが自在に出来るように、ホール７４Aと、ホール７４Ｂを横断する開閉型コンジット１５６が接着されている。スケルトン５０のスパイン53は、バックカバー９４０の内側に設置されていない。スケルトン５０のスパイン53は、バックカバー９４０の内側に設置されていない。図1４Cに示されているように、バインダー1４が360度に開かれる際には、ミドルカバー１４２は、折目８２で平らに折りたたまる。スパイン53により生ずる盛り上がりを最小限に抑えるため、もしくは完全に排除するため、バックカバー940及びフロントカバー944により定められた開閉型コンジット156と２５６は、スパイン53のチューブ54を受け入れる。図1４Bに示されているように、バインダー1４が１８０度に開かれる際には、ミドルカバー１４２は、シーム８０で平らに折りたたまる。スパイン53とリング４６は、フロントカバー９４４に対して、前のルーズリーフ５０は、バックカバー９４０及びミドルカバー１４２とフロントカバー７２Aの量によって必要なだけ回転できる。バインダー１４が閉じられている際、スケルトン９４４に包囲され、リング４６を露出させない。これによりバインダー1４はより扱いやすく、美しくなる。
図１５
図１５は発明品の他の実用例であるバインダー１５の下から見た図である。バインダー１５は、カバー１５００とスケルトン５０からなる。カバー１５００はバックカバー９４０及びフロントカバー９４４とミドルカバー１１４２を含む。スケルトン５０のスパイン53は、ミドルカバー１１４２の内側に設置されている。ミドルカバー1142は、薄く、曲げやすいものが好ましい。また、ミドルカバー１１４２は、図５のバインダー５のスロット２５８Aや２５８Cと同じように、スロットを定めるため、スケルトン50は、バックカバー940に対して回転できる。バインダー1４が360度に開かれる際、薄く、曲げやすいミドルカバー1142は、平らに折り曲がる。さらに、スパイン53により生ずる盛り上がりを最小限に抑えるため、もしくは完全に排除するため、開閉型コンジット１５６と２５６は、ミドルカバー１１４２の一部に包まれたスパイン53を受け入れ、これによりバックカバー940は、フロントカバーに対して平らな状態になれる。
図16
記述・取り扱い
図１６は発明品の他の実用例であるバインダー１６の展望である。バインダー１６は、カバー１６００とスケルトン５０からなる。カバー１６００は、ミドルカバー４２及びフロントカバー４４とバックカバー１０４０を含む。バックカバー１０４０は、開閉具３５８A−３５８Cにより区分けされたマージンサポート３６０A-360Dを定める。ブリッジ62は、バックカバー1040の端1040Aの周辺で開閉具３５８A−３５８Cにかかっている。バインダー16が閉じられている際、リング４６が垂直に立った状態を保つため、ブリッジ62の厚みは、バックカバー１０４０のそれより小さく、スケルトン５０とリング４６は、バックカバー１０４０に対して回転する。バインダー16が閉じられている際、リング４６の垂直な状態を可能にし、スパイン53とリング４６のバックカバー940に対する回転を十分に保持するため、開閉具３５８A−３５８Cの機能意義は、図１Aのバインダー１のスロット５８A-58Cのそれに相当するものである。
図1７
図１７は発明品の他の実用例であるバインダー１７の展望である。バインダー１７は、カバー１７００とスケルトン６５０からなる。カバー１７００は、バックカバー１１４０及びミドルカバー１２４２と、フロントカバー４４を含む。バックカバー１１４０は、マージンサポート４６０A-４６０Cの間に配置されたスロット４５８Aと４５８Bを定める。図17が示すように、スケルトン６５０のスパイン653はバックカバー1140のトップの端1140Aにより定められた、コンジット５６Bの中に設置されている。バインダー17のフットプリントを縮小するため、ルーズリーフは、バックカバー1140のトップの端1140Aに折り込まれ、フロントカバー44は、バックカバー1140の脇の端1140Bの周りに折りこまれる。
図１８A−１８B
図１８Aと１８Bは発明品の他の実用例であるバインダー１８の展望と下から見た図である。バインダー１８は、カバー１８００とスケルトン５０からなる。カバー１８００は、フロントカバー４４及びバックカバー１２４０と二重平面なミドルカバー１３４２を含む。ミドルカバー１３４２は、ミドルカバーの一部１３４２Aとミドルカバーの一部１３４２Bからなる。図18Aで示されたように、ミドルカバーの一部１３４２Aは、フロントカバー４４とミドルカバーの一部１３４２A及びバックカバー１２４０の間に設置された、ミドルカバーの一部１３４２の間に設置されている。折目１３４２は、フロントカバー４４とミドルカバーの一部１３４２Aの間に設置されるのが好ましく、折目１３４２Dはミドルカバーの一部１３４２Aとミドルカバーの一部１３４２Bの間に設置されるのが好ましい。ミドルカバーの一部１３４２Bとバックカバー１２４０はそれぞれ、マージンサポート５６０A-５６０Dの間に配置されたスロットのトータルエリアの半分を定める。スロット５５８A−５５８Cの周辺は閉じられており、ミドルカバーの一部１３４２Bとバックカバー１２４０により、完全に包囲されている。
【００８３】
スロット５５８A−５５８Cはラフな’O’形で、バインダー１８が閉じられている際、露出している。スロット５５８A−５５８Cは、ミドルカバーの一部１３４２Bとマージンサポート３６０A-360Dの間にある折り込み１３４２Eで折りたたまれ、図18Aや図18Bの破線に示されたようにバインダー18のフットプリントを縮小するため、フロントカバー４４及びミドルカバーの一部１３４２Aと、ミドルカバーの一部１３４２Bが、バックカバー１２４０に対して後ろに折り込まれる際、軽い’U’形になる。スロット５５８ａ−５５８ｃの折目は、バックカバー１２４０及びミドルカバーの一部１３４２Aと１３４２Bがリング46の、バックカバー１２４０を通しての、回転の邪魔にならないようにする。カバー1800が360度水平に折りたたまれている際、各リング46の一部はリング周辺の端１２０４０Aを中心に回転可能である。
【００８４】
バインダー１８はコンジット５６により区切られているので、構造上、ミドルカバーの一部１３４２Bが、バックカバー１２４０の大きな一部に取り付けられていることは重要でない。図18Bで示されたように、ミドルカバーの一部１３４２Bの片方の端１２４０Aは、マージンサポート５６０A-５６０Dに近いバックカバー1240の端１２４０Aに連結している。バックカバー１２４０に隣接した折り込み１３４２Eは再設置可能であり、これによってミドルカバーの一部１３４２Bの端はバックカバー１２４０の端１２４０Aとバックカバー１２４０の両面の上で対面出来るようになり、さらに、図18Bで示されたように、バインダー18が360度開かれているとき、前のルーズリーフ７２Aと残りのルーズリーフ７２B及びパッド６１Aと６１Bは平行、及び平らになる。
図１９A−１９C
図１９A−１９Cは発明品の他の実用例であるバインダー１９の展望と下から見た図である。バインダー１９は、カバー１９００とスケルトン５０からなる。カバー１９００は、バックカバー１３４０及びミドルカバー１４４２とフロントカバー４４を含む。バックカバー１３４０は、マージンサポート６６０A-６６０Dと、スロット６５８A-658Cのトータルエリアの半分を定める。スロット６５８A-658Cのトータルエリアのもう半分は、ミドルカバーの一部1442Bにより定まる。図１８Aと１８Bで示されたバインダー18のマージンサポート６６０A-６６０Dは、バックカバー１３４０と同じ厚さを持ち、バインダー18のマージンサポート５６０A-５６０Dより短い。バインダー1９が360度開いたとき、図１８Aと１８Bで示したバインダー１８のスロット５５８A-５58Cと同じく、スロット６５８A-658Cは、ミドルカバーの一部１４４２Bとバックカバー１３４０の間でフォールド２８２Aに沿って半分折りこまれる。ミドルカバーの一部１４４２Cと１４４２Dを持つスロットカバー64は、ミドルカバーの一部１４４２Bとバックカバー1340に接着し、それらを隠すため、スロット６５８A−６５８Bにかかっている。スロットカバー64は、ミドルカバーの一部１４４２Cと１４４２Dの間にフォールド282Bを定める。ミドルカバーのこの一部はバインダー19が360度に開いた際、フォールドが、スロット658A−６５８Cからきちんとはなれて折り込まれるようにする。
図２０A−２０C
図２０A−２０Cは発明品の他の実用例であるバインダー２０の展望と二つの下から見た図である。バインダー２０は、カバー２０００とスケルトン５０からなる。カバー２０００は、フロントカバー１０４４及びミドルカバー１５４２とバックカバー１４４０を含む。ミドルカバー１５４２はコンジット３５６を定めるため、いっしょに連結しているミドルカバーの一部１５４２ａ−１５４２ｆからなる。スケルトン５０は、リング４６がミドルカバーのホール７４Ｃ−７４Ｄをと押して輪になるように、コンジット３５６の内側に設置されている。コンジット３５６は、フロントカバー１０４４がバックカバー１４４０に向かって開くと同時に形を変える。バインダー２０が図２０で示されたように３６０度に開くに従い、ミドルカバーの一部１５４２Ａは、スパイン５３をこじんまりと包み込む。スパイン５３は、カバー２０００が３６０度平らに折り返されたとき、カバー２０００がその周りを回転する枢軸である。バインダー２０が閉じられた位置から３６０度開かれるとき、フロントカバー１０４４ミドルカバーの一部１５４２Ａは、折目３８２Ａとスパイン５３の周りでそれらがバックカバー１４４０とミドルカバーの一部１５４２Ｄのそれぞれに接するまで回転する。カバー２００が３６０度に平らに折り返されるとき、外に作動するリングに近い端は、折目３８２Ａと一致していて、リング４６のそれぞれの一部はこの端の周りで回転しえる。
【００８５】
ミドルカバーの一部１５４２Ａと１５４２Ｄ、及びフロントカバーの一部１０４４Ａ、及びバックカバーの一部１４４０Ａは、バインダー２０が、３６０度に開いたとき平行な平面を形づくるのと同じ厚さである。ミドルカバーの一部１５４２Ｂと１５４２Ｃは、バインダー２０が３６０度に開かれたとき、スパイン５３に適合するため、ミドルカバーの一部１５４２Ａと１５４２Ｄに比例して厚みを減少する。フロントカバー１０４４は、一部１０４４Ａと１０４４Ｂを持つ。バックカバー１０４４は、一部１４４０Ａと１４４０Ｂを持つ。フロントカバーの一部１０４４Ｂとバックカバーの一部１４４０Ｂの厚みはフロントカバーの一部１０４４Ａとバックカバーの一部１４４０Ａのそれぞれの厚みより小さく、バインダー２０が、図２０Ｃで示されるように３６０度に開いたとき、溝６５が形づけられる。溝６５はリングホールカバー１６４に適合する。このカバーは、バインダー２０が３６０度に開く際、溝６５の中に折目３８２Ｂを通してきちんと折り返る。リングホールカバー１６４は、ミドルカバーの一部１５４２ｅ−１５４２ｆを含み、バインダー２０が、図２０Ｂで示されたように、閉じた位置にあるときはリング４６とミドルカバーのホール７４Ｃ−７４Ｄを隠す。それによってバインダー２０に表装された本のと、美的な行き届いた外見を与える。バインダー２０は、バインダー５に類似していて、折り返されたミドルカバー１５４２は、バインダーが図２０のように３６０度に開かれたときと同じく、実際にはフロントカバー１０４４とバックカバー１４４０の厚みと同じになる。
図２１A−２１Ｂ
図２１A−２１Ｂは発明品の他の実用例であるバインダー２１の下から見た図である。バインダー２１は、カバー２１００とスケルトン５０からなる。カバー２１００は、フロントカバー１０４４及びミドルカバー１６４２とバックカバー１４４０を含む。ミドルカバー１６４２は、一部１６４２ａ―１６４２ｄからなる。ミドルカバーの一部１６４２Ｂコンジット４５６Ｂを内蔵する。スケルトン５０のスパイン５３は、コンジット４５６Ｂの内に設置され、ミドルカバーの一部１６４２Ｂでミドルカバーの盛り上がり６７を創る。ミドルカバーの一部１６４２Ａは、コンジット４５６Ａを持ち、それはバインダー２１が図２１Ｂで示されるように３６０度に開いたとき、ミドルカバーの盛り上がり６７を受ける。リング４６がバインダー２０のミドルカバー１５４２ａ−１５４２ｂから通るのと同じ方法でリング４６は、バインダー２１のミドルカバー１６４２ａ−１６４２ｂから通る。
バインダー２１が、図２１Ａの閉じた位置から、図２１Ｂの３６０度の位置間で開いた際、フロントカバー１０４４とミドルカバーの一部１６４２Ａはフォールド４８２Ａの周りでバックカバー１４４０とミドルカバー１６４２Ｂのそれぞれに接する間で回転する。バインダー２１が３６０度に開いているとき、ミドルカバー１６４２Ａ、ミドルカバー１６４２Ｂと、フロントカバー１０４４及びバックカバー１４４０は、平行な平面を形づくる。フロントカバー１４４０は、フロントカバーの一部１０４４Ａと１０４４Ｂを持つ。バックカバー１４４０は、バックカバーの一部１４４０Ａと１４４０Ｂを持つ。フロントカバーの一部１０４４Ｂとバックカバーの一部１４４０Ｂの厚みは、フロントカバーの一部１０４４Ａとバックカバーの一部１０４４Ａのそれぞれの厚みより薄く、バインダー２１が図２１Ｂに示されたように、３６０度に開いたとき、溝１６５が形づく。溝１６５は、リングホールカバー２６４に適合し、このカバーは、バインダーが３６０に開いたとき、溝１６５の中に折目４８２Ｂを通ってきちんと折り返される。リングボールカバー２６４は、ミドルカバーの一部１６４２ｃ−１６４２ｄを持っていて、バインダー２１が図２１Ａに示されたように、閉じられたとき、バインダー２１に表装された本の美的な行き届いた外見を与える。バインダー２１は、バインダー５とバインダー２０に似ている。その中でも、折り返されたミドルカバー１６４２の厚みは、バインダー２１が図２１Ｂのように３６０度に開いたときと同じく、フロントカバー１０４４とバックカバー１４４０の厚さと実際的に同じである。
図２２A−２２Ｂ
図２２A−２０Ｂは発明品の他の実用例であるバインダー２２の下から見た図である。バインダー２２は、カバー２２００とスケルトン５０からなる。カバー２２００は、フロントカバー１０４４及びミドルカバー１７４２とバックカバー１５４０を含む。ミドルカバー１７４２はミドルカバーの一部１７４２ａ−１７４２ｄからなる。バインダー２０のリング４６がミドルカバー一部１５４２Ａ−１５４２ｂから通るのと同じ方法で、バインダー２１のリング４６もミドルカバー一部１６４２ａ−１６４２ｂから通る。ルーズリーフ７２がリング４６に束ねられているように、ミドルカバーの一部１７４２Ａ−１７４２Ｂは、リング４６に束ねられている。
【００８６】
バインダー２２が図２２Ａ閉じた状態から、図２２Ｂのように３６０度開かれる際、バインダー２２のフットプリントを縮小するため、フロントカバー１０４４とミドルカバーの一部１７４２Ａは折目５８２Ａのまわりをバックカバー１５４０とミドルカバー１７４２Ｂに接するまで回転する。バインダー２２が３６０度開かれるとき、ミドルカバーの一部１７４２Ａ及び１７４２Ｂと、フロントカバー１０４４と、ライティングサポートパッド１６１及びバックカバー１５４０は平面な外面を創る。ライティングサポートパッド１６１は部分１６１Ａ−１６１Ｂからなる。スパイン５３が書き込み面に盛り上がりを作のを防ぐため、ライティングサポートパッド１６１Ｂの厚みは、１６１Ａのそれより小さい。フロントカバー１０４４は、フロントカバーの一部１０４４Ａと１０４４Ｂからなる。バックカバー１５４０は、バックカバーの一部１５４０Ａ−Ｃからなる。バインダー２２が閉じた状態のとき、スパイン５３を受け入れるため、バックカバーの一部１５４０の厚みは、バックカバーの一部１５４０より小さい。フロントカバーの一部１０４４Ｂとバックカバーの一部１５４０Ｂの厚みは、フロントカバーの一部１０４４Ａとバックカバーの一部１５４０Ａより小さいため、バインダー２２が図２２Ｂのように３６０度に開くとき、溝２６５が創られる。溝２６５は、バインダー２２が３６０度開かれる際、折目５８２Ｂに沿って溝２６５に折りたたまるリングホールカバー３６４を受け入れる。リングホールカバー３６４は、ミドルカバーの一部１７４２Ｃ−１７４２Ｄを持ち、図２２Ａのように、バインダー２２が閉じられている際、バインダーに表装された本の美的な行き届いた外見を与える。
図23A-23E
図23A-23Eは今回の発明品の他の実用例のバインダー23の下から見た図である。バインダー23はスケルトン550、薄い尖った1本以上の 留め具68およびカバー2300を含んでいる。カバー2300はフロントカバー1144、ミドルカバー1842、バックカバー1640を含んでいる。ミドルカバー1842はミドルカバーの一部1842A-1842Cを持っている。スケルトン550はスパイン553とリング746を含んでいる。
【００８７】
従来のスパイン553はリング746を同時に開閉するために弧形の交差部分があり、スイッチング要素を持っている。スケルトン550は1つ以上の細く尖った 留め具68によってミドルカバー1842Bに固定されている。ミドルカバー1842Bは、スパイン553を含むためにミドルカバー1842Aやミドルカバー1842Cより細くできていて、隙間71を作っている。スパイン553を小さくすることによりバインダー23が180度開いた場合に、隙間71は平らな書く表面を提供する。ミドルカバー1842Bはミドルカバー1842Aや1842Cより細くできている。それによって隙間71ができていてその中にスパイン553を含んでいる。スパイン553を少しずつフロントカバー1144とバックカバー1640の平面に下げながらバインダー23を180度開く。隙間71は書きやすい表面を提供する。ミドルカバー1842Bを細くすることによってミドルカバーの一部1842Aと1842Cよりも柔軟性を持たせることができ、さらに図に示すように小さな回転半径を持つことを可能にする。図23Cから23Eのようにミドルカバー1842Aはミドルカバー1842Cに対して平らに位置することができる。更に、留め具68が細く尖っているのはミドルカバー1842が折り重なることを妨害しないためである。ミドルカバー1842を折り重ねるとカバー2300の中に一時的にリングに近い端73を作成する。フロントカバー1144と前ルーズリーフ72Aを360度跳ね返しやすくするため、バックカバー1640と後ルーズリーフ72Bを平行に並ばせ、フロントカバー1144とバックカバー1640を関連させながらスパイン550は安定した動きをコントロールすることを目的としている。スパイン550がミドルカバー1842Bに固定されているので、ミドルカバー1842Bと一緒に回転することはできない。しかし、スパイン550はミドルカバー1842Bの柔軟性によってフロントカバー1144とバックカバー1640を関連させて回転することができる。図23Cから23Eで示すように、フロントカバー1144がバックカバー1640の下に360度返した時に、スパイン550は一定の角度の位置へそれほど偏っておらず、フロントカバーは必要なだけ回転することができ、（前のルーズリーフ72Aの数にもよるが）バックカバー1640の下に返すことができる。バックカバー1640およびミドルカバー1842Aはフロントカバー1144とミドルカバー1842Bの反対に滑ってスパイン550の幾つかの必要な回転を確保する。細く尖った 留め具68はスケルトン550のより自由な回転を与えるためにミドルカバー1842Bに緩く固定されている。平らな書く表面を提供するために、ライティングパッド61Aと61Bは、スパイン553とミドルカバー1842Aおよび1842Cの間の割れ目75A-75Bを覆う。
【００８８】
カバー2300が360度開いた場合、スケルトン550のリング746が平らに置かれたカバー2300のリングに近い端73の近くを回るように、スパイン553はミドルカバーの上に回転するように配置される。スパイン553がカバー2300に固定されているため、カバー2300は回転する軸ではない。しかしながら、バインダー23が360度開くように平らに折り重ねられた場合、柔軟性および中央カバー1842の最小回転半径は、スパイン553がリング746の回転軸の中に配置し、フロントカバー1144とバックカバー1640をその反対に回転することを可能にする。フロントカバー1144、バックカバー1640、またリング746のすべての部分はスパイン553の周りを平らに配置されたカバー2300が回転するようにスパイン553の周りを実際は同じ角度だけ回転する。この場合、フロントカバー1144とバックカバー1640は、たとえフロントカバー1144とバックカバー1640がスパイン553とは反対の方向に放射状に滑ったとしてもスパイン553の周りを同じ角度だけ回りる。
【００８９】
フロントカバー1144は、フロントカバーの一部1144A-1144Bとバックカバーの一部1640から成る。
【００９０】
図23Bの中で示されるようにフロントカバーの一部1144Bが細くなっているのはフロントカバーの一部1144Aの折り重なりをミドルカバー1842とバックカバー1640の下にさせるためである。同様に、バックカバーの一部1640Bが細くなっているのはバックカバーの一部1640Aの折り重なりをミドルカバー1842とフロントカバー1144の下にさせるためである。
【００９１】
バインダー23は折り重ねられたミドルカバー1842の厚さとフロントカバー1144とバックカバー1640の厚さの合計がほぼ同じです。これは、バインダーが図23C-23Eのように360度開いたときに見られる。そういったところがバインダー23とバインダー5が似ている。さらに、バインダー23が360度に開いてスパイン553がルーズリーフ72Aとルーズリーフ72Bの間にあるとき、スパイン553のＬＳＣＰＬの厚さとフロントカバー1144とバックカバー1640の合計の厚さはほぼ同じか少し小さめです。それによっての、スパイン553による盛り上がりはほとんどゼロに等しくなる。一番大きなリング746の直径は、スパイン553のＬＳＣＰＬの直径よりはるかに大きい。
【００９２】
バインダー23の多くの複雑な 断片についての詳細は前に記述してあり。バインダー23が360度に開かれたとき、フロントカバー1144と前ルーズリーフ72Aをバックカバー1640と後ルーズリーフ72Bに平行に並べる。図23C-23Eで示されるようにバインダー23が閉じた位置から360度に開かれたときに、ミドルカバー1842Bをフロントカバー1144およびミドルカバー1842Aとバックカバー1640およびミドルカバー1842Cがしっかりと接するまで回転する。バインダー23が360度開いた場合、カバー1842A、ミドルカバー1842C、フロントカバー1144A、バックカバー1640Aを平行に並べた平面の表面は同じ厚さです。
【００９３】
部分的に楕円になっているリング746の最大径は、スパイン553のＬＳＣＰＬとリングの切取られた最小径の合計より大きいか同じです。これによってリング746のルーズリーフのキャパシティーはバインダー23が通常の180度に開いた場合と360度以上開いた場合のキャパシティーより大きいか等しくする。
図24A-24C
図24A-24Cは今回の発明品の他の実用例バインダー24の下から見た図である。
【００９４】
バインダー24はスケルトン550、1個以上の丸 留め具69およびカバー2400を含んでいる。カバー2400はフロントカバー1144、ミドルカバー1942、バックカバー1640を含んでいる。図23A-23Eで示すように、バインダー24はバインダー23と同じ様にスケルトン550、フロントカバー1144、バックカバー1640を含んでいる。しかしバインダー23のミドルカバー1842と細く尖った 留め具68の代わりにバインダー24は別のミドルカバー1942と丸 留め具69を作っている。スケルトン550は丸 留め具69によってミドルカバー1942に固定される。ミドルカバー1942はミドルカバーの一部1942A-1942Cを含んでいる。ミドルカバー1842Bと同じように、ミドルカバー1942Bは細くなっていて、ミドルカバー1942Aおよび1942Cにつながっている。しかし、バインダー24のミドルカバー1942Bは、バインダー23のミドルカバー1842Bより長くより薄い、丸 留め具69を細く尖った 留め具68と同じようにミドルカバー1942Bに含ませることができる。なぜならミドルカバー1942Bは薄く曲がりやすいため、ミドルカバー1942Bは丸 留め具69に必要かつ十分なスペースを与え、細く尖った 留め具68と同様にミドルカバーの一部1942Aと1942Cの間に 盛り上がりを引き起こすことを防ぐ。さらにバインダー24は繰り返し使われた場合でも丸 留め具69は尖った部分でミドルカバー1942Bやミドルカバー1942を切ったり、傷つけたりしないように作られている。平らな書きやすい表面を提供するために、ライティングパッド61Aと61Bはスパイン553とミドルカバー1942Aと1942Cの間にできる小さな割れ目175A-175Bをそれぞれを覆っている。
図25A-25B
図25A-25Bは今回の発明品の他の実用例バインダー25の下から見た図である。
バインダー25はスケルトン550、1個以上の丸 留め具69およびカバー2500を含んでいる。図23A-23Eで示されるようにバインダー25は、バインダー23と同じスケルトン550を持っている。バックカバー1740は1740A-1740Dを持っている。スケルトン550は丸 留め具69によってバックカバー1740に固定されている。フロントカバー44と１つ以上の前ルーズリーフ72Aを360度返しやすくするためにバックカバー1740と後ルーズリーフ72Bを平行に並べて倒し、スケルトン550はフロントカバー44とバックカバー1740が安定して一緒に回るように動きをコントロールしなければならない。スケルトン550がバックカバー1740Dを支えるために固定されるので、後部カバー1740Dと関連して自由に回転することはできない。
しかし、スケルトン550はフロントカバー44とバックカバーの一部1740はほとんど一緒に1740Dと1740Cの間の蝶番76によって回転する。したがって、リング746は、バックカバー1740Cのリングに近い端の周りを回転する。図25Bの中で示されるように、スケルトン550はフロントカバー44がバックカバー1740の下に360度返されたとき、一定の角度の偏りは強くない。スケルトン550は前ルーズリーフ72Aの数によりバックカバー1740の下に返るように必要なだけ回転する。
【００９５】
スパイン553は、大きなバックカバー1740Aとリング46の反対方向に回転する軸で配置される。ミドルカバー2042は、ミドルカバー2042A-2042Bを持っており、ミドルカバー2042は蝶番76から分かれたときにバックカバー1740の広い側に付けられ、フロントカバー44と前ルーズリーフ72Aはバックカバー1740A-1740Cの下に返ったとき、スケルトン550の回転でミドルカバー2042と緩衝しないように蝶番76は分けられる。
【００９６】
バックカバー1740C-1740Dは細くなっていて、バインダー25が180度開いてスパイン553をバックカバー1740Aの平面の中に部分的に下げられた時、バックカバー1740Aとつながって平らな書く表面を提供することを助ける。バックカバー1740Bはバックカバー1740Cとバックカバー1740Aを結び付ける小さなV字形の断片です。図25Bに示すように、平らな書く表面を提供するために、ライティングパッド61Aおよび61Bはスパイン553とバックカバー1740Aの間の小さな割れ目275A-275Bを覆う。バインダー25が閉じた位置にある場合、リベット溝70は丸 留め具69を含んでいる。
【００９７】
バインダー25はこの発明の他のパーツの形に似ている。似ているところはスパイン553のＬＳＣＰＬの厚さと、バインダー25が360度開いていて、スパイン553が前のルーズリーフ72Aと後のルーズリーフ72Bの間にあるとき、フロントカバー44とバックカバー1740Aの合計した厚さは小さいか同じです。それはスパイン553によってできたいろんな潜在的な 盛り上がりを最小限にするかなくする。。
バインダー25はスケルトン550の回転を緩衝することを回避するためにミドルカバー2042はバックカバー1740に接しているところ点でバインダー1に似ている。図２６A-２６C
図２６A -２６Cはスケルトン１５０のもう一つの提起された実用例の、この発明のそのシンクロナイズド・スイッチエレメント１５１の詳細な断面部分の釣り合いの取れた底、および正面図である。これらは、スケルトン１５０、シンクロナイズド・スイッチエレメント１５１の第一、および第２の結合要素になる持ケーブル３４、およびチューブ１５４、の実用例である。リング１４６にはB１４６A から１４６Cのリングの断片がある。リングの断片  １４６Aと１４６Bは、ウエルドか、ブレーズ、または、その他の適切な方法で取り付けられている。リングの断片１４６Bは中が空洞でそのコンジット33はその一端でレッジまたはストップ１３２で締め付けられている。コンジット33はスプリング131を収納し、リング・の断片１４６Cの一部分を受けいれる。ストップ１３２は、スケルトン１５０の開閉時共に、リングの断片１４６Cにたえず活発な勢力を出すスプリング１３１の一端を支える。
【００９８】
図２６Ｂに示されている閉ざされているポジションで、リングの断片１４６Ｃはリングの断片１４６Aに押さえ込まれている。リングの断片１４６Ｃは、押さえ込まれているにもかかわらず、リングの断片１４６Ｃと同じ湾曲を持っている１４６Ｂに滑り込む能力がある。リングの断片１４６Ｃの一端は、スロットか、あるいは針目３０であることを明瞭にしている。ケーブル３４はの輪３５で終結する三つのブランチトランクの断片３４Aで構成される。  スケルトン１５０の三つのリングの断片１４６Ｂのそれぞれのコンジット３３、スプリング１３１、そしてストップ１３２はケーブル34のブランチの断片３４Ｂの一つで糸を通されている。それぞれのリング・の断片１４６Ｃは、チェーンリンクと、そのニードルアイ３０とそれに対応するの輪３５との間のチェーンリンクでケーブル３４に、取付けられている。
【００９９】
図２６Ｃはケーブル３４のタンクエンドが８を持っていの輪ル-ロックノブ３に付着していることを示す。プルロック３８またスプリング３６にもくっついている。２６A -２６Ｃの図は円形になるべきリング１４６である。しかしながら、リングの断片１４６Ｂと１４６Ｃの部分が、リングの断片146Ｃへ引っ込ませることを可能にする同じ曲線を持つ限り、他のリングの形は可能だ。
【０１００】
スケルトン150を開くため、プルロック３８のノブ３８Aは、スプリング３６がスロット37の中にしまい込むまでのスプリング１３１の抵抗に反して、チューブ154から引っ張られている。その間に、プル-ロック３８は、３個のリングの断片１４６Ｃをすべての３個のリング１４６を同時にロック・オープンするために、３個のリングの断片１４６Ｂの中に納めるケーブル３４を引っ張る。
【０１０１】
スケルトン150を閉じるために、スプリング３６は押い込められる。リングの断片１４６Ｃと、リングの断片１４６Ｂが、リングの断片１４６Aを打っていくようになるまで、リングの断片１４６Ｃをリングの断片１４６Ｂの外まで拡張もするスプリング１３１によって、それ自身の閉ざされたポジションに引きずられるケーブルを解除するスプリング１３１の圧縮装填ため、リング１４６は閉じたままである。
図２７A -２７Ｂ
図２７A -２７Ｂは、この発明のバインダーのスケルトン２５０のさらに進んだ、スケルトン２５０のシンクロナイズド  スイッチエレメント２５１を表す詳細な断面部分の展望、実用例図である。リングの断片４６Aはロッド２５２にウエルドか、蝋づけ、または、その他の適切な方法で取り付けられている。同様に、リングの断片４６Ｂは  チューブ２５４に取り付けられている。ロッド２５２がチューブ２５４の内部に組立てられているとき、ヅペースドリングの断片４６Aは、同様にスペースドチューブ２５４のスロット５５を通って、はみ出る。
【０１０２】
リングの断片４６Ｂと関連してリングの断片４６Aを開いたり閉じたりするわずかな角度の中で、チューブ２５４はロッド２５２の周りを回転する。円筒形のフランジ77は、チューブ２５４の縦の主軸と完全に一致した、ロッド２５２の縦の主軸を維持する。
【０１０３】
シンクロナイズド・スイッチ・エレメント２５１には、スケルトン２５０が開いているか、または閉ざされているときに、ねじれてロードされ、そしていつもリングの断片のオープニングに抵抗している９７がリング・の断片４６Ｂに関するリング・の断片４６Aの始まりに常に抵抗するスプリング９７が含まれる。チューブ２５４に取り付けられている、ロッド２５２の部分としての完全な形であるキャッチ９８Aがねじれたスプリング９７のもう一方の腕を敷いている間ロッド２５２に取り付けられている、ロッド２５２の部分としての完全な形であるキャッチ９８Aはねじれたスプリング９７の片腕を強制するレッジ２７Aは  レッジ２７Ｂがチューブ２５４から拡張している間、ロッド２５２から拡張する。レッジ２７Aとレッジ２７Ｂは共に、ロッド２５２の周りを回転するだけでなく、縦にすべることができるウェッジ２６と接触している。ウェッジ２６は、プッシュロッド７６とねじれたスプリング９７を通して、レッジ２７Aとレッジ２７Ｂの両方と接触を保たてれる。
【０１０４】
プッシュ・ロッド７６とプッシュ・ボタン３９はボール・ポイントを拡張して、引っ込ませるための、二つの状態のメカニカル・スイッチ共有のボールペンの反対の両端にある。ボールペンで、この２つの状態のメカニカル・スイッチは、圧縮スプリングのたえまない抵抗に依存するスケルトン２５０で、たえまない抵抗は、２６をくさびで割るために、連鎖(ロッド２５２、およびレッジ２７Aと２７B )経由でねじれたスプリング９７によって供給される。
【０１０５】
ロッド７６が図で示されているように、引っ込められたポジションにあるときに、２７A、プッシュボタン３９は上にあり、そして、リングは閉じられている。
【０１０６】
プッシュボタン３９が下に押さえつけるかまたはクリックされるときは、プッシュ・ロッド７６は、その拡張されたポジションへ押されてロックされる。プッシュロッド７６が拡張されるので、それはリングの断片４６Ｂに関連して、リングの断片４６Aを開く原因になるチューブ254に呼応して、順番にロッド２５２を回転するように仕向けるレッジ２７Ｂから分かれた、角のあるレッジ２７Aウェッジ２６を押える。ロッド７６がその場所にロックされてるので、図２７Ｂに示されるように、リングの断片４６Aは、リングの断片４６Ｂに関連して、ロックされたオープンの状態に留まる。プッシュボタン３９が一秒間押されたら、それはプッシュロッド７６をその拡張されたポジションから、ねじれたスプリング９７を、図２７Aにし示されているように、リングの断片４６Aとリングの断片４６Ｂをレッジ２７Aとレッジ２７Ｂと同じように閉じるための、ロッド２５２とチューブ２５４に従うようにさせながら、開錠する。レッジ２７Aとレッジ２７Ｂは閉じているので、それらは、ウェッジ２６とプッシュロッド７６に、それぞれ、それらの閉じて引っ込んだポジッションに追いやり、そして、プッシュロッド７６はプッシュボタン３９を、それの本来の場所に押しやる。スケルトン２５１の一端に配列されたシンクロナイズド・スイッチ・エレメント２５０の構成部分を図２７Aと２７Ｂは示しているが、シンクロナイズド・スイッチエレメント２５１の鏡に映った像に一致する構成要素は、より安定した作動を証明するためスケルト２５０の反対の端に配置されても差し支えない。
図２８A −２８Ｂ
図２８A−２８Ｂはこの発明のバインダーのスケルトン３５０のもう一つの提起された、スケルトン３５０のシンクロナイズド・スイッチエレメント３５１を表す詳細な断面部分の展望、実用例図である。リングの断片４６Aはウエルドかロウ付けまたはそれに準ずる適切な方法でチューブ３５２に取り付けられている。同様にリングの断片４６Ｂはチューブ３５４に取り付けられている。ロッド３５２がチューブ３５４の内部に組立てられているとき、ヅペースドリングの断片４６Aは、同様にチューブ３５４のスロット５５を通って、突き出る。リングの断片４６Ｂと関連してリングの断片４６Aを開いたり閉じたりするわずかな角度の中で、チューブ３５４はロッド３５２の周りを回転する。シンクロナイズド・スイッチ・エレメント３５１には、スケルトン３５０が開いているか、または閉ざされているときに、ねじれてロードされ、そしていつもリングの断片のオープニングに抵抗している９７がリング・の断片４６Ｂに関するリング・の断片４６Aの始まりに常に抵抗するスプリング９７が含まれる。チューブ３５４に取り付けられている、ロッド３５４の部分としての完全な形であるキャッチ９８Ｂがねじれたスプリング９７のもう一方の腕をしいている間ロッド３５２に取り付けられている、ロッド３５２の部分としての完全な形であるキャッチ９８Aは、ねじれたスプリングの片腕をしいる。ストップ３２は、管３５４の内側のウォールから突き出す。ロッド３５２の周りをゆるくらせん状に上昇するスプリング３１はストップ３２とプッシュボタン１３９の間で圧縮される。スプリング３１は、スケルトン３５０がオープン状状態より少ないにもかかわらず、いつも、一定量の圧縮積荷がある。円筒形の空洞状のプッシュボタン１３９は軸鞘のように、限られた距離をロッド３５２に沿って縦にスライドすることができる。プッシュボタン１３９の内壁から、ロッド３２の溝、グローブ９４の中に突き出すているツース９３は、プッシュボタン１３９にロッド３５２と同調して回転するように強制する。ポール９５は、プッシュボタン１３９の外壁から突き出す、レッジ９６の限られた軌道に沿ってスライドする。ポール９５は、プッシュボタン１３９の縦状に回転する動作をを強制する。レッジ９６はチューブ３５４の内壁から突き出す。ストップ３２は、チューブ３５４の縦の軸と完全に一致したチューブ３５２の縦の軸を維持するためのフランジの役をつとめる。
【０１０７】
スケルトン３５０を開くために、リングの断片４６Aとリングの断片４６Ｂは引き離されます。この動作は、ロッド３５２にチューブ３５３に呼応した回転を引き起こし、ねじれたスプリング９７に抵抗される。ロッド３５２にチューブ３５３に呼応した回転を引き起こし、それゆえ、プッシュボタン１３９は、グローブ９４の内のそのツース９３のせいで、同時に回転するよう強制されるが、プッシュボタン１３９は、ポール９５に従うレッジ９６のらせん状の部分により、ロッド３５２の方向に縦に押されもする。プッシュボタン１３９のロッド３５２の方向への動きは、プッシュボタン１３９とストップ３２の間でのスプリング３１の圧縮を引き起こす。ロッド３５２がポール９５に回転することを強いるのでポール９５は、レッジ９６のツース９６Ｃにさっと触れ、スロット９６Aを追い出し、図２８Ｂに示されているように、スケルトン３５０のオープン位置に一致する拡張された状態でのロッキングプッシュボタン１３９に関して、ポール９５はスプリング３１によってスロット９６Ｂの中に押しやられる。ポール９５がスロット９６Ｂに配置されるとき、ポール９５がレッジ９６のツー巣９６Ｃにより、後ろに回転することを阻まれるから、ユーザーはリング４８を解除することができる。それゆえ、ポール９５はトージョンスプリング９７のねじれた引けの力に抵抗することができる。
【０１０８】
スケルトン３５０を閉じるには、プッシュボタン１３９は、スプリング３１の抵抗に反して、ロッド３５２の方へ押される。この動きは、ポール９５がスロット９６Bの外へ移動する原因になり、トージョンスプリング９７に、スケルトン３５０のリング４６を閉じる役を務めることを可能にするスプリング３１によって、ポール９５が、それから、スロット９５の中へ押しやられている場所、レッジ９６のツース９６Ｃの方へスライドする原因となる。トージョンスプリング９７は、リングの断片４６Ｂに対して、リングの断片４６Aが閉じられるまで、ロッド３５２がチューブ３５４に呼応して、回転することを引き起こすキャッチ９８Ｂに、呼応して、キャッチ９８Aを捻じ曲げる。にもかかわらず、図２８Aと図２８Ｂには、シンクロナイズド・スイッチイング  エレメント３５１の反射画像の構成要素に一致する、スケルトン３５０の一端に配置されたシンクロナイズド  スイッチイング  エレメント３５１の幾つかの構成要素が、より安定した作動のために、スケルトン３５０の反対の端に配置されても、差し支えないことが示されている。ノブ３８A、ぼったん３９、そしてボタン１３９の作動体に接触させておくカバーに、少しの変更を行うことで、でこの発明のスケルトン５０と結合する各々の展望実例で、スケルトン１５０、２５０および３５０の実例は、スケルトン５０の実例で使用できる。この修正とは、この発明のバインダーの、それぞれの実用例のカバーの上下の端に、たた、スロットを一つ開けるだけのことである。
図２９A -２９Ｃ
図２９A -２９Ｂはこの発明のバインダーのスケルトン４５０の実例展開図と側面図である。図２９Ｃはロッド４５２の横断面図である。スケルトン４５０は３個のリング２４６とロッド４５２で構成される。図２９Ｃは、リング２４６は、その両端でタブ４７とスロット４８のそれぞれを手意義付けるリングの断片２４６Aとリングの断片２４６Ｂで構成されていることを示す。また、ノブ４９Aとノブ４９Ｂは、それぞれ、リングの断片２４６Aと２４６Ｂから突き出る。リングの断片２４６Aには、タブ４７を差し込むことができる小さな空洞の自由な一端がある。スケルトン４５０により定義づけられたホール５７を貫いて、差し込まれたリングの断片２４６Aにより、スケルトン４５０は  組み立てられ、そして、ホール５７の形をしたライトーバルブを通って、ノブ４９Ｂはだめで、４９Aだけが通ることが出来るよう、リング２４５を滑らせる。図２９Aに示されるように、ロッド４５２に関連して、リング２４６をまっすぐに立たせるためのホール５７の範囲内に配置されたリング２４６の部分のまわりを  それぞれのリング２４６は回転する。
【０１０９】
リング２４６のそれぞれは個々に開くか、閉じるかする。リング２４６を開くために、タブ４７はスロット４８に呼応して押し下げられ、タブ４７をスロット４８から解き放つために、リングの断片２４６Aの空洞な先端から引っ張り出す。リング２４６の本体は、図２９Ｂに示されているように、その開かれている部分で、押え付けられている緊張のないスプリングの役目を果たす。リング２４６を閉じるため、リングの断片２４８Ｂのタブ４７をスロット４８の中に入れるよう力が用いられる。そして、リング２４６が閉まっている位置のときに存在するリング２４６のスプリングローディングによって、その点で、閉じ込められる。この発明のバインダーの多くの実例のフロントカバーは、往々にしてスケルトンのリングに載っているので、スケルトン４５０に対してのリング２４６の頭部の回転は、バインダーが閉じられている時、バインダーを極小化することを助ける。
図３０A−３０Ｆ
図３０Aは、この発明のリングコンポーネント３４６の底部の展開見取り図であり、３０Ｂ−３０Ｆは、バインダー１の底部の展開図である。リング４６の位置のリング３４６とを合体させたスケルトン50の図１A-１Ｌに示されている。図３０B -３０F  バックカバー４０の後ろに折り返された前面のルーズリーフ７２Aの数が変化することによって異なる位置の図である。の変化する数の異なった位置がいる。
【０１１０】
リングの断片３４６A−３４６Ｂとリングの断片３４６A−３４６Ｂが交差するスパイン５３の一部でリング３４６はできている。リングの断片３４６Aにはリングの断片４６P -３４６Qがあり、およびリング、の断片３４６Bには、リングの断片３４６R -３４６Ｓがある。リング３４６の形は、長円と、およびその主要な軸と平行する弦Ｐ１０１からなっている、切り取った楕円である。リングの断片３４６Ｑと３４６Ｓは、コードＰ１０１と符合する。楕円の副軸は主軸の片方でコードＰ１０１を二分し、主軸の反対側でスパイン５３を二分する。
【０１１１】
ディスタンスA１は、リング３４６が図３０Aと３０Ｂにし示されているように、真っ直ぐ立っているときの、バックカバーの内側の表面から、ポイントＱ１へと測られた、アップライトリングのルーズリーフの収容力である。リング３４６が真っ直ぐに立っているとき、リングの断片３４６Ｑと３４６Ｓはバックカバーに対して平行である。ディスタンスE１は、図３０Aに示されているように、リング３４６の切り取られた楕円の内側の主軸の長さである。図３０C -３０Fは、図３０Ｂにあるようにリング３４６が直立のとき、前のルーズリーフ７２Aがバックカバー４０の下に３６０度の角度で折り込まれているときのバックカバー４０とフロントカバー４４が占める、リングの位置の付加的な内部の図である。バックカバー４０とフロントカバー４４によって占められる位置は、図３０Ｄに示されるように測られる。ディスタンス（Ｂ１+Ｃ１）は、図３０Dに示されているように、スパイン５３が９０度になるよう回転されているとき、リングのルーズリーフ収容力を測る。
【０１１２】
図３０Ｂ−３０Ｆのカバー１００は、むしろ、カバー１００が１８０度に開かれていてリング３４６が実質上、直立しているとき、ルーズリーフを装填されたり、はずされたりする。それゆえに、ユーザーはリングをリングの断片３４６Ｑと３４６Ｓの下部の面に満たすだろうから、直立しているリング３４６の高さは、リング３４６の収容能力を決定する。バインダーの便利な作動のためには、直立リングのルーズリーフの収容能力が、図３０Ｃ−３０Ｆにあるように、スパイン５３が、他の部分に回転させられているときの収容能力よりも少ないか等しいことが望ましい。リング３４６が直立のとき、スパイね５３とリング３４６が直立のところから９０度回転しているときより少ないか、同じだけのルーズリーフ収容能力を持つことを可能にするためには、以下の方程式を、満たさなくてはならない。
A１= < B１+ C１      方程式１
図３０Dから、主軸ディスタンスE１は、ディスタンスB１、C１、およびD１の合計に等しい。
E１= B１+ C１+ D１    方程式２
方程式１に方程式２を置き換えて、再編成条件が発生する：
E1 >= A1 + D1
ディスタンスD１によって測られるように、バックおよびフロントのカバーの一定の厚さのために、および一定の直立しているリングのルーズリーフの能力A１のため、リング３４６の主軸  E１の長さを計算することができる。そして、直立位置の時リング３４６のルーズリーフ収容能力は、スパイ根５３とルーズリーフリング３４６が直立から９０度回転しているときのリング３４６ルーズリーフ式の収容力がの収容能力より大きくなるか、等しい。より厳格に、弦P１Q１は、図３０Ｂ−３０Ｆのイラストにあるように、スパインの回転の範囲のためのリング３４６の、ルーズリーフ収容能力より少ないか等しいポジションで、リング３４６の長円のカーブをカットすることができる。E１の望ましい長さは、そのこのより厳しい制約を満足させる最大値だ。
【０１１３】
スパイン５３は回転し始め、リングプロングは、バインダー１のバックカバー４０の平面に加わるので、完全に、楕円のリングが、すぐに、ルーズリーフ収納能力において減少する。カットオフ楕円状リング３４６は、この問題を共有しない。なぜなら、ポイントＱ１がまさにスパイン５３の上になるまで、スパイン５３が直立の位置から時計の針の反対廻りで回転するので、リング３４６のアップライトリング能力を決定するポイントＱ１はバックカバー４０からより遠くへ拡張するからである。
図３１A -３１Ｆ
図３１Aは、この発明、リングコンポーネント４４６の、もう一つの望ましい具体例の底から見た面の図だ。そして、図３１B -３１Fは、バインダー１の底から見他図だ。リング４６の置かれた場所でリング４４６と一体化したスケルトン５０とともに１Ａ−１Lの図に示されている。図３１B -３１Fは、バックカバー４０の下に巻き込まれた上のルーズリーフ７２Aの数の、変化するままに異なる位置でのリング４４６の図である。リング４４６は、スパイン５３の、の断片４４６Ａと４４６Ｂによって交差される部分とリングの断片４４６Aと４４６Ｂとで構成される。リングの断片４４６にAは、リングの断片４４６Ｐから４４６Ｒがあり、４４６Ｂは４４６Ｓから４４６Uがある。リング４４６の形は切断された楕円で、リング４４６の楕円曲線の主軸に平行なコードリングの断片４４６Ｐが追加された、リング３４６に似ている。図３１Aから３１Ｆのバインダーが１８０度の角度に開かれるとき、ミドルカバー４２は、リング４４６を直立するように駆り立てるために、フラットリングの断片４４６Pと４４６Ｓを押し付ける。
図３２A-３２Ｆ
図３２Aはこの発明のリングコンポーネント５４６の下から見た構成図で、図３２Bから３２Ｆは、図１Aから１Ｌに示されている、リング４６の代わりに設置されているリング５４６と合体したバインダー１の、バインダーの下部から見た図である。図３２Bから３２Ｆは、バックカバー４０の下に巻き込まれている前方のスーズリーフ紙７２Aの量の変化に応じたリング５４６のそれぞれの異なった位置が表されている。リン５４６は、の断片５４６Ａと５４６Ｂによって交差されるスパイン５３の部分とリングの断片５４６Aと５４６Ｂとで構成される。
【０１１４】
リングの断片５４６Aには、リングの断片５４６Ｐから５４６Ｒがあり、５４６Ｂは５４６Ｓから５４６Uがある。殆どのエプティカル（楕円状の）リングの断片５４６Ｐと５４６Ｓストレート（直線状の）リングの断片５４６Qと５４６Ｔにそれぞれに結合されている。ストレートリングの断片５４６Ｑと５４６Ｔは、リング５４６を完成するために、ストレートリングの断片５４６Rと５４６Uによって埋められている。ストレートリングの断片５４６Q、５４６R、５４６Ｕ、５４６Ｔはマルチラインプリメーターの断片を構成する。リング５４６の楕円の一部の主軸でストレートリングの断片５４６Ｑと５４６Ｔがつくる二つの角は任意でない。ストレートリングの断片５４６Ｑと５４６Ｔは、それぞれ、ラインＸ１とＹ１に、意図的に平行につくられる。ラインＸ１は、リングの断片５４６Ｓとスパイン５３のタンジェントラインで、ラインＹ１は、リングの断片５４６Pとスパイン５３のタンジェントラインである。リング５４６が直立の姿勢にあるとき、ラインＸ１は、バックカバー４０の外側の面４０Ｘの水平面であり、リングの断片５４６Ｑは、図３２Ｂに示されるように、平行である。バックカバー４０の内側の面４０から、リングの断片５４６Ｑの下側の面までを測ったディスタンス（距離）A２は、リング５４６の直立ルーズリーフの収容能力である。リング５４６のアップライト（直立）ルーズリーフの収容能力は、図３２Ｂ−３２Ｆに図解されてる、スパインの回転の範囲のための、リング５４６のルーズリーフの収納能力に比べて、少ないか、または等しいというように、リング５４６は、リング３４６に類似して、高いというよりもより広い。図３２Bから３２Fに示されているようにリング５４６は、リング３４６が、図３０Bから３０Fで回転するよりも、より小さい角度の中で回転する。カバー１００が２８０度の角度で開かれて、リング５４６が実質上直立しているとき、カバー１００は、図３２Bから３２Ｆのように、ルーズリーフとともに装填されたり、はずされたりする。
図３３A−３３Ｆ
図３３Aはこの発明のリングコンポーネント６４６を下から見た具体図である。３３Ｂから３３Ｆは、リング４６の位置で、リング６４６と合体させたスケルトン５０の図、１A−１Ｌに示されているバインダー１の下部の展開図である。３３B〜３３Ｆは、１A〜１Lにあるように、リング４６の位置で、バインダー１のスケルトン５０がリング６４６と合体しているバインダー１の下部の図である。図３３Bから３３Ｆは、バックカバー４０の下に巻き込まれている前方のスーズリーフ紙７２Aの量の変化に応じたリング５４６のそれぞれの異なった位置が表されている。リング６４６はリング５４６に非常に似通っているが、リング５４６よりも、直線の部分が少なく、一部は環状である。
【０１１５】
リング６４６は、の断片６４６Ａと６４６Ｂによって交差されるスパイン５３の部分とリングの断片６４６Aと６４６Ｂとで構成される。  リングの断片６４６には、リングの断片６４６Ｐから６４６Ｒがあり、６４６Ｂは６４６Ｓから６４６Uがある。殆どのサーキュラー（環状の）リングの断片６４６Ｐと５４６Ｒは、ストレート（直線状の）リングの断片６４６Ｑと５４６Ｓに、それぞれに結合されている。
【０１１６】
ストレートリングの断片６４６Qと６４６Ｓは、ラインＸ２とＹ２にそれぞれ、平行であり、マルチラインペリメーターの断片を構成する。
【０１１７】
ラインＸ２は、リングの断片６４６Ｓとスパイン５３のタンジェントラインで、ラインＹ２は、リングの断片６４６Pとスパイン５３のタンジェントラインである。リング６４６が直立の姿勢にあるとき、ラインＸ２は、バックカバー４０の外側の面４０Ｘの水平面であり、リングの断片６４６Ｑは、図３３Ｂに示されるように、平行である。バックカバー４０の内側の面４０Nから、リングの断片６４６Ｑの下側の面までを測ったディスタンス（距離）A３は、リング６４６の直立ルーズリーフの収容能力である。リング６４６のアップライト（直立）ルーズリーフの収容能力は、図３３Ｂ−３３Ｆに図解されてる、スパインの回転の範囲のための、リング６４６のルーズリーフの収納能力に比べて、少ないか、または等しいというように、リング６４６は、リング３４６に類似して、高いというよりもより広い。図３３Bから３３Fに示されているようにリング６４６は、リング３４６が、図３０Bから３０Fで回転するよりも、より小さい角度の中で回転する。カバー１００が２８０度の角度で開かれて、リング６４６が実質上直立しているとき、カバー１００は、図３３Bから３３Ｆのように、ルーズリーフとともに装填されたり、はずされたりする。
図３４
図３４はこの発明のリングコンポーネント７４６を下から見た具体図である。リング７４６はスパイン５５３とスパイン５３の位置で一体化している以外は、リング３４６と非常に似通っている。リング７４６は、リングの断片７４６A−７４６Bと、リングの断片７４６Aと７４６Bで一体化し手いるスパイン５５３の一部とで構成される。リングの断片７４６Aと７４６Bは形と機能において、図３０A−３０Ｆのリングの断片３４６Aと３４６Ｂに、厳密に一致する。スケルトンが、カバーにファスナーかリベットで固定されている図２３A−２５Bにあるように、リング７４６はバインダー２３−２５に組み込まれている。
図３５
図３５はこの発明のリングコンポーネント８４６を下から見た具体図である。リング８４６はスパイン５５３とスパイン５５の位置で一体化している以外は、リング５４６と非常に似通っている。リング８４６は、リングの断片８４６A−８４６Bと、リングの断片８４６Aと８４６Bで一体化し手いるスパイン５５３の一部とで構成される。リングの断片８４６Aと８４６Bは形と機能において、図３２A−３２Ｆのリングの断片５４６Aと５４６Ｂに、厳密に一致する。スケルトンがバックカバー1470Ｄにリベットで固定されている図２５A−２５Bのように、リング８４６はバインダー２５に組み込まれることが可能である。
【０１１８】
この発明は、ルーズリーフのその他の評判の共通な長所を犠牲意にすることなく、使用中、フットプリントを最小限にするのである。このバインダーは,最小のフットプリントの能力と、平らな書く表面と、そして、作動を通して、すべてのリングの同時に開閉する能力を提供する。
【０１１９】
上記の私の記述には多くの特殊性が含まれているとしても、それらが、発明の範囲での限定と解釈されるべきではない。むしろ、それの幾つかの選ばれた具体化の例証である。その他、多くのバリエーションも可能である。例えば、ＳＯＣＲＡのスケルトンを使用して具体化された２５のすべてのバインダーが、それの替わりに、独立した開閉可能なリングのあるスケルトンを使うことができる。スパイン５３を含むコンジットのあるカバーの具体化は、スパインによって接続されていないリングと接合されることができる。たとえば、スケルトン４５０は、そのリングを切断することで、３個のの断片に切り分けることができた。そして、その後、各々のの断片は  それらが単一化されているときと同じように、コンジット５６の端から端までに位置した。その他のスパインの無い具体化も、スケルトン５０を排除し、これらのバインダーのリング46の位置につながりの無い、独立開閉可能なリングを挿入することで、バインダー１３、１４、２０から、用事に創り出すことができる。バインダーカバーに一致する数のホールを追加することにより、リングがより多いスケルトンも代わりをすることが可能である。ここに発表されているのとは異なるシンクロナイズド・スイッチ・エレメントでも多分代用しても差し支えないであろう。さらに、連続的にすべてのリングを開閉するシークエンシャルスイッチエレメントは、すべてのリングを同時に開閉させるシンクロナイズドスイッチエレメントいん、取って代わることが出来る。ライティングサポートパッドが含まれている時は特に、マージンサポートは、除くことが可能である。バインダー１のミドルカバーを除去し、より広い、アンの断片フレキシブルフロントカバーを、シーム６６の位置で、バックカバー４０に直接添付することにより、バインダー１を修正することも可能である。図２６Ａ−２６Cのスケルトンは、図２９のスケルトンのように、バインダーが容量一杯に充填されてないとき、バインダーの厚みを減らすことが可能にするために、そのリングが前後ろに傾くことが出来るように修正することが、可能である。バックカバーに付属品の代用品を提供するために、図８のバインダーには  そのミドルカバーに付けられた二番目のループフラップがあってもよい。その他の変型のスパインの一部がそのまま保たれている内に、それら変形は、そのスパインの縦面に関連して回転することが出来るリングのあるスケルトンを構成するバックカバーの書く面を広げるために、それらの変型のうちの一つは、内外双方の表紙と同じ高さのバックカバーの、一方の縁に沿ってスパインが堅く付着し、そのバックカバーの厚みに匹敵する高さで直角に交わる部分があるスパインを構成する。スパインは、その溝を通ってスパインの縦の面の周りを回転することが出来るバインダーリングを接続する。スパイン５３がスリーブ管に呼応して回転するのを可能にするリング４６に一致する溝のあるスリーブ管の中に、スケルトン５０のスパイン５３を設置することで簡単に二番目の変型を作ることが出来る。この変型のスパインの一部であるスリーブ管リベットで堅く留めることが出来る。しかし、まだそれでも、その中に含まれるスパイン５３とリング４６がカバーに呼応し��回転することを可能に出来る。この固定したスリーブ管の使用は、内部に配置されているスケルトン５０のスパイン５３があり、スリーブが静止したままで保たれている間は、長方形のスリーブ管に呼応して回転することの出来る、直角に交わる部分と共に設計されているところより上の部分はで、前野の変型を含んでも差し支えない。ディスティンクト・スケルトン・コンポーネントが欠乏しているもう一つの変型には、それのリングすべてを同時に開閉するためのシンクロナイズド・スイッチ・エレメントとあわせて完全に形成された、そして３６０度に開かれたとき、水平に保たれるカバーがあり、また、カバーが３６０度に開かれたときは水平に保たれたカバーのニヤーリングの縁を回転できるリングがある。
【０１２０】
ここに記述されているルーズリーフバインダーと、その類似品と、またその使用方法の技術（技）に熟練している人に評価されるであろう。この発明が、様々な選ばれた具体例の参考文献で説明される間に、この研究の視野と精神から外れることのないこれらの選ばれた具体例の中に、沢山の改造版や変種が作られるだろうことが、この技術に熟練した人によって理解されるだろう。それゆえに、発表された選ばれた具体例に限定されない発明が意図され、以下の権利主張によって許可されている一杯の機会で溢れている
【図面の簡単な説明】
【図１】  図１Ａは、バックカバーに対しフロントカバーが約１２０度の角度で開いているバインダースケルトンの回転式のスパインが示された、現在のバインダー構成の展望である。図１Ｂは、図１Ａのバインダーの閉じた状態での展望である。図１Ｃは、図１Ａのバインダーのフロントカバーと前のルーズリーフが、バックカバーに対し１８０度の角度で開かれた図である。図１Ｄは、図１Ａのバインダーのフロントカバーとルーズリーフが３６０度の角度で全開されバックカバーと残りのルーズリーフの下に平らに折り込まれている状態の図である。図１Ｅは、図１Ｄの１Ｅの線で切断した形のバインダーの断面図である。図１Ｆは、図１Ｅを１８０度裏返しにした状態でルーズリーフの裏側に書き込めるということを示す図である。図１Ｇは、図１Ａのスケルトンのリングが閉じた状態の図である。図１Ｈは、図１Ａのスケルトンのリングが開いた状態の図である。図１Ｉは、図１Ａのバインダースケルトンの部分図である。図１Ｊは、図１Ａのバインダースケルトンの付加部品の図である。図１Ａ、１Ｇと１Ｈ、１Ｋと１Ｌに明らかであるように、スパイン製造の段階で、インナーロッド（内側の棒）が、穴の開いたチューブ内に予め組み込まれてから半径のリングをインナーロッド（内側の棒）に取り付ける方が好ましい。図１Ｋは、リングを同時に開閉出来るスパイン内のシンクロナイズドスイッチ機能の構成を部分的に示したもので、リングが閉じた状態の図１Ａのバインダースケルトンである。図１Ｌは、リングを同時に開閉出来るスパイン内のシンクロナイズドスイッチ機能の構成を部分的に示したもので、リングが開いた状態の図１Ａのバインダースケルトンである。
【図２】  図２Ａは、バインダーが閉じた状態の構図であり、フロントカバーはリングで閉じられたルーズリーフの上に乗っているが、バインダーリングの外側のはぎ目を通じてミドルカバーにも連結している。図２Ｂは、図２Ａを２Ｂ線で切断した、断面図である。図２Ｃは、図２Ａのバインダーのルーズリーフを取り除いて、フロントカバーをバックカバーに対し１８０度に開き、ミドルカバーも１８０度に広がっている状態である。図２Ｄは、図２Ｂの断面図で、フロントカバーとルーズリーフのページがバックカバーに対し１８０度の角度で開かれている状態で、ミドルカバーも１８０度に折れている。図２Ｅは、図２Ｂのフロントカバーとルーズリーフのページがバックカバーに対し３６０度に平らに折り込まれており、残りのページとミドルカバーも３６０度になるよう折り込まれている、断面図である。
【図３】  図３Ａは、バインダーの実用例第３番の図で、フロントカバーがカバーリングコネクションループ（カバー接続輪）のリングで閉じられたルーズリーフの上に乗り、バインダーは閉じた状態である。図３Ｂは、３Ａの３Ｂ線で切断した断面図である。図３Ｃは、３Ａのバインダーで、フロントカバーとルーズリーフのページがバックカバーに対し１８０度に開き、ミドルカバーも１８０度になるよう折り込まれている図である。図３Ｄは、図３Ｃの３Ｄ線で切断した断面図である。図３Ｅは、フロントカバーとルーズリーフのページがバックカバーに対し３６０度に平らに折り込まれており、残りのページとミドルカバーも３６０度になるよう折り込まれている、図３Ｂの断面図である。
【図４】  図４Ａは、バインダーの実用例第４番の図で、ミドルカバーの一部がフロントカバーの一部、またミドルカバーの他の一部はバックカバーの一部になっており、両部分ともバインダースケルトンのスパインの回りを回転出来る仕組みになっている。図４Ｂは、図４Ａのバインダーの図で、フロントカバーがバックカバーに対し１８０度に開き、ミドルカバーは、その間で開いた状態にある。図４Ｃは、図４Ａのバインダーの図で、フロントカバーがバックカバーに対し３６０度に開いており、ミドルカバーの一部がフロントカバーの一部になっており、それがミドルカバーとバックカバーの共有部分に対し、約１８０度回転している。図４Ｄは、図４Ｃにルーズリーフを入れたバインダーを下から見た図である。
【図５】  図５Ａは、バインダーの実用例第５番の図で、フロントカバーとバックカバーがミドルカバーの一部になっており、中央部はバインダースケルトンのスパインの回りを回転出来る仕組みになっている。図５Ｂは、図５Ａにルーズリーフを入れ、フロントカバーとルーズリーフがバックカバーに対し３６０度に平らに折り込まれているバインダーを下から見た図である。
【図６】  図６Ａは、バインダーの実用例第６番の図で、ミドルカバーのない、ルーズリーフの前後カバーがバインダースケルトンのスパインの回りを回転できるようになっている。図６Ｂは、図６Ａをバインダーの裏側から見た図である。
【図７】  図７Ａは、バインダーの実用例第７番の図で、クアッドプラナーカバー（中区切りカバー）を使用したバインダーである。このカバーは、バックカバーかつ区切りにもなるミドルカバーで、そして前カバーにもなり、バインダースケルトンのスパインの回りを回転し、バックカバーの端をも調整できる。図７Ｂは、図７Ａのバインダーを下から見た図で、前のルーズリーフがスケルトンを含むカバーの一部と残りのルーズリーフの下に平らに折り込まれ、カバーがＺの形に折られている。
【図８】  図８は、バインダーの実用例第８番の図で、７の例と類似するがチャックで閉じられ、バックカバーは、マジックテープで取り付けや取り外しが自在である。
【図９】  バインダーの実用例第９番を下から見た図で、１の例と類似するが、フロントカバーとつながっている第二のミドルカバーにあたる部分は、マジックテープでバックカバーとも接着でき、それを利用しバインダーを閉じられる。
【図１０】  バインダーの実用例第１０番を下から見た図で、９の例と類似するが、マジックテープのミドルカバー兼バックカバーと、固定されたミドルカバー兼バックカバーの位置が９とは逆になっている。
【図１１】  バインダーの実用例第１１番を下から見た図で、包み込む形のフロントカバーが向かい合うようにふたつあり、そのマジックテープでバインダーを閉じられる。フロントカバーの一方は具体例１の様にバックカバーに固定され、もう一方は１０の例の様にバックカバーに固定されている。
【図１２】  バインダーの実用例第１２番で、スケルトンのスパインを回転するバックカバーがクワッドプラナーカバー式で、その上端はバイプラナーミドルカバー（複数用途中カバー）の一部とつながっている。
【図１３】  図１３Ａは、バインダーの実用例第１３番で、バインダー１のようにミドルカバーはバックカバーとつながっているが、バックカバーは、リングで閉じられたルーズリーフの上になり、スケルトンはカバーに覆われていない。図１３Ｂは、図１３Ａのフロントカバーがバックカバーに対し３６０度に開き折り込まれている図を下から見たものである。
【図１４】  図１４Ａは、バインダーの実用例第１４番で、バインダー２の様にミドルカバーが前後カバーとつながっているが、フロントカバーとバックカバーの両方がリングで閉じられたルーズリーフの上になり、スケルトンはカバーに覆われていない。図１４Ｂは、図１４Ａのバインダーを下から見た図で、フロントカバーがバックカバーに対し１８０度に開かれており、ミドルカバーはそれに順じて１８０度に折れている。図１４Ｃは、図１４Ａのバインダーを下から見た図で、フロントカバーがバックカバーに対し３６０度に開かれており、ミドルカバーはそれに順じて３６０度に折れている。
【図１５】  バインダーの実用例第１５番を下から見た図で、フロントカバーがバックカバーに対し１８０度に開かれており、スケルトンはミドルカバー内に組み込まれ、フロントカバーとバックカバーはリングで閉じられたルーズリーフの上になり、前後カバーはリングの外側の継ぎともなるミドルカバーで連結されている。
【図１６】  バインダーの実用例第１６番でバインダー１に類似するが、スロットの替わりにオープニング（オープンな窓のよう）になっている。
【図１７】  バインダーの実用例第１７番で、スケルトンがバックカバーの上端近くに埋め込まれている為、ルーズリーフはバックカバーの上部で閉じられる。
【図１８】  図１８Ａは、バインダーの実用例第１８番で、バックカバーはスケルトンのスパインの回りを回転し、バックカバーとつながっているバイプラナーミドルカバーはバックカバーに対し１８０度に折れ、二等分されたスロット穴の半分がバックカバーに、残りの半分はミドルカバーにある為、リングはバックカバーやミドルカバーの邪魔にならず左回りに回転できる。図１８Ｂは、図１８Ａを下から見た図で、フロントカバーはバックカバーやライティングパッド、ルーズリーフに対して１８０度に開かれている。
【図１９】  図１９Ａは、バインダーの実用例第１９番で、１８のバインダーと類似するが、折りたたみ式スロットカバーが付けたされている。図１９Ｂは、図１９Ａを下から見た図で、バックカバーに対しフロントカバーが閉じた状態になっており、ライティングパッドとルーズリーフを入れ、折りたたみ式スロットカバーは広がっている。図１９Ｃは、図１９Ａを下から見た図で、バックカバーに対しフロントカバーは３６０度開いてあり、ライティングパッドとルーズリーフを入れ、折たたみ式スロットカバーは折った状態ある。
【図２０】  図２０Ａは、バインダー実用例第２０番でスケルトンがコンジットに埋め込まれており、スケルトンのリングはミドルカバーの穴を通っている。
図２０Ｂは、図２０Ａのバインダーを下から見た図でバックカバーに対してフロントカバーは閉じた状態にありルーズリーフが入れてある。図２０Ｃは、図２０Ａのバインダーを下から見た図でバックカバーに対してフロントカバーは３６０度に開かれた状態にありルーズリーフが入れてある。
【図２１】  図２１Ａは、バインダーの実用例第２１番を閉じた状態で下から見た図で、２０のバインダーと類似するが、スケルトンはどんな状態でも安定した移動式のミドルカバーのコンジットに埋め込まれている。図２１Ｂは、図２１Ａのバインダーを下から見た図で、バックカバーに対してフロントカバーが３６０度に開かれている。
【図２２】  図２２Ａはバインダーの実用例第２２番を閉じた状態で下から見た図でバインダー２１と類似するが、スケルトンはカバーのコンジットに組み込まれておらず、ミドルカバーがリングで閉じられたルーズリーフの上にくる。図２２Ｂは、図２２Ａのバインダーを下から見た図で、バックカバーに対してフロントカバーは３６０度に開かれた状態にある。
【図２３】  図２３Ａは、バインダーの実用例第２３番を閉じた状態で下から見た図で、柔軟なミドルカバーと、細い留め具で固定されたごく普通のアーク型のスケルトンがあり、ミドルカバーの柔軟さを利用して回転する。図２３Ｂは、図２３Ａのバインダーを下から見た図で、フロントカバーが３６０度開いており、ルーズリーフ全ページはバックカバーの上にある。図２３Ｃは、図２３Ａのバインダーを下から見た図でフロントカバー、ライティングパッド、前のルーズリーフがバックカバーと残りのルーズリーフの下に折り込まれている状態である。図２３Ｄは、図２３Ａのバインダーを下から見た図で、バックカバー、ライティングパッド、ルーズリーフの半分がバックカバーと残りのルーズリーフの下に折り込まれている状態である。図２３Ｅは、図２３Ａのバインダーを下から見た図でフロントカバー、ライティングパッド、ルーズリーフの一番前の１ページ以外はバックカバーと残りのルーズリーフの下に折り込まれている状態である。
【図２４】  図２４Ａは、バインダーの実用例第２４番を閉じた状態で下から見た図で、２３のバインダーに類似するが、もっと薄く、ミドルカバーに更に柔軟性がありスケルトンは普通の留め具でミドルカバーに取り付けられている。図２４Ｂは、図２４Ａのバインダーを下から見た図でフロントカバー、ライティングパッド、前のルーズリーフはバックカバーと残りのルーズリーフの下に折り込まれている状態である。図２４Ｃは、図２４Ａのバインダーを下から見た図でフロントカバー、ライティングパッド、ルーズリーフ半分はバックカバーと残りのルーズリーフの下に折り込まれている状態である。
【図２５】  図２５Ａは、バインダーの実用例第２５番を閉じた状態で下から見た図でバインダー２３，２４と同じスケルトンを使用しているが、バックカバーの蝶番を利用して回転するようになっている。
図２５Ｂは、図２５Ａのバインダーを下から見た図でフロントカバー、ライティングパッド、前のルーズリーフはバックカバーと残りのルーズリーフの下に折り込まれている状態である。
【図２６】  図２６Ａは、スケルトンの第２実用例の図で、リングが開いた状態の時、スケルトン操作ノブがバインダーのどこに位置しているかを示している。図２６Ｂは、図２６Ａのスケルトンを下から見た部分的断面図でリングが閉じている際、シンクロナイズドスイッチ機能の構造を示している。図２６Ｃは、図２６Ａのスケルトンを前から見た部分的断面図でリングが閉じている際、シンクロナイズドスイッチ機能と操作ノブの構造をしめしている。
【図２７】  図２７Ａは、スケルトンの第３実用例の図で、リングが閉じた状態の時、バインダーのシンクロナイズドスイッチ機能の構造を部分的に示している。図２７Ｂは、図２７Ａのスケルトンの図で、リングが開いた状態の時、バインダーのシンクロナイズドスイッチ機能の構造を部分的に示している。
【図２８】  図２８Ａは、スケルトンの第４実用例の図で、リングが閉じた状態の時、バインダーのシンクロナイズドスイッチ機能の構造を部分的に示している。図２８Ｂは、図２８Ａのスケルトンの図で、リングが開いた状態の時、バインダーのシンクロナイズドスイッチ機能の構造を部分的に示している。
【図２９】  図２９Ａは、スケルトンの第４実用例の図で、リングが閉じた状態の時、バインダーである。図２９Ｂは、図２９Ａのスケルトンのリング構成を下から見た図である。図２９Ｃは、図２９Ａの２９Ｃの部分を示す部分断面図である。
【図３０】  図３０Ａは、初めの実用例のバインダーのリングを下から見た図で、上部が平らになった楕円形を示している。図３０Ｂ−３０Ｆは、図１のバインダーのリングを図３０Ａのリングを変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３１】  図３１Ａは、第２実用例のバインダーのリングを下から見た図で、上部が平らになった楕円形を示している。図３１Ｂ−３１Ｆは図１のバインダーのリングを図３１Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３２】  図３２Ａは、第３実用例のバインダーのリングを下から見た図で、上部が平らになった楕円形を示している。図３２Ｂ−３２Ｆは図１のバインダーのリングを図３２Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３３】  図３３Ａは、第４実用例のバインダーのリングを下から見た図で、上部が平らになった楕円形を示している。図３３Ｂ−３３Ｆは図１のバインダーのリングを図３３Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図１】
0004663127.tif 000004
0004663127.tif 000005
0004663127.tif 000006
0004663127.tif 000007
0004663127.tif 000008
0004663127.tif 000009
【図２】
0004663127.tif 000010
0004663127.tif 000011
【図３】
0004663127.tif 000012
0004663127.tif 000013
【図４】
0004663127.tif 000014
0004663127.tif 000015
【図５】
0004663127.tif 000016
【図６】
0004663127.tif 000017
【図７】
0004663127.tif 000018
【図８】
0004663127.tif 000019
【図９】
0004663127.tif 000020
【図１０】
0004663127.tif 000021
【図１１】
0004663127.tif 000022
【図１２】
0004663127.tif 000023
【図１３】
0004663127.tif 000024
【図１４】
0004663127.tif 000025
0004663127.tif 000026
【図１５】
0004663127.tif 000027
【図１６】
0004663127.tif 000028
【図１７】
0004663127.tif 000029
【図１８】
0004663127.tif 000030
【図１９】
0004663127.tif 000031
【図２０】
0004663127.tif 000032
【図２１】
0004663127.tif 000033
【図２２】
0004663127.tif 000034
【図２３】
0004663127.tif 000035
【図２４】
0004663127.tif 000036
【図２５】
0004663127.tif 000037
【図２６】
0004663127.tif 000038
0004663127.tif 000039
【図２７】
0004663127.tif 000040
【図２８】
0004663127.tif 000041
【図２９】
0004663127.tif 000042
0004663127.tif 000043
【図３０】
0004663127.tif 000044
0004663127.tif 000045
【図３１】
0004663127.tif 000046
0004663127.tif 000047
【図３２】
0004663127.tif 000048
0004663127.tif 000049
【図３３】
0004663127.tif 000050
0004663127.tif 000051
【図３４】
0004663127.tif 000052
【図３５】
0004663127.tif 000053